(57)【要約】【課題】  排出スタッカを第２の媒体記録時にとる位置へ移動させることにより、確実に排出用従動ローラであるギザローラを排出用駆動ローラに対して退避移動させること。【解決手段】  排出スタッカ昇降装置２００に設けられた排出フレーム部８００は、排出用駆動ローラ２０ａと協働して第１の媒体（Ｐ）を挟持する第１排出用従動ローラ２０ｂを回動自在に保持し、排出スタッカ（５００）と連結され、前記排出スタッカ（５００）が第１の位置から第２の位置へ移動するのに伴って、付勢手段８０５の付勢力Ｆに抗して前記第１排出用従動ローラ２０ｂが前記排出用駆動ローラ２０ａから離間する方向へ移動するように構成されていることを特徴とする。【選択図】図１５
2007301971.tif 000002
【特許請求の範囲】
【請求項１】
記録部に設けられた記録ヘッドからインクを吐出して第１の媒体および第２の媒体へ記録する記録装置において記録された第１の媒体を載置する第１の位置、および第１の媒体と第２の媒体とを記録部へ案内し、かつ、記録された第１の媒体と第２の媒体とを受け止める第２の位置へ、記録装置に設けられた動力発生部によって移動する排出スタッカを備えた排出スタッカ昇降装置であって、
排出スタッカ昇降装置の基体部側に設けられ、第１の媒体および第２の媒体を搬送方向へ移動させる排出用駆動ローラと、
該排出用駆動ローラと協働して第１の媒体を挟持する第１排出用従動ローラを回動自在に保持し、該第１排出用従動ローラが前記排出用駆動ローラに対して接離移動する方向へ移動可能な排出フレーム部と、
該排出フレーム部を、前記第１排出用従動ローラと前記排出用駆動ローラとが協働する位置側へ付勢する付勢手段とを備え、
前記排出フレーム部は、
前記排出スタッカと連結され、前記排出スタッカが前記第１の位置から前記第２の位置へ移動するのに伴って、前記付勢手段の付勢力に抗して前記第１排出用従動ローラが前記排出用駆動ローラから離間する方向へ移動するように構成されていることを特徴とする排出スタッカ昇降装置。
【請求項２】
請求項１に排出スタッカ昇降装置において、前記排出スタッカは、前記第１の位置から前記第２の位置へ移動する際、
記録時の搬送方向下流側へ移動し、
その後、記録される第１の媒体および第２の媒体の幅方向および搬送方向に対して直交する方向へ移動し、前記排出スタッカに設けられ、第１の媒体と第２の媒体とを案内する媒体案内面の姿勢が、記録される第１の媒体および第２の媒体の幅方向および搬送方向に対して、平行になるように構成されている排出スタッカ昇降装置であって、
前記排出スタッカは、前記第１の位置と前記第２の位置との間を移動する際、
前記排出スタッカは、該排出スタッカに設けられた突部と、排出スタッカ昇降装置の基体部側に設けられた溝部との係合によって案内されると共に、前記付勢手段によって付勢されるように構成されていることを特徴とする排出スタッカ昇降装置。
【請求項３】
請求項２に記載の排出スタッカ昇降装置において、前記排出スタッカ側に設けられたラックと、
排出スタッカ昇降装置の基体部側に設けられ、前記ラックへ動力を伝達するピニオンとを備え、
前記排出スタッカは、前記ラックおよび前記ピニオンによって、前記ラックに沿って記録される第１の媒体および第２の媒体の幅方向かつ搬送方向に対して直交する方向、および搬送方向へ移動するように構成されていることを特徴とする排出スタッカ昇降装置。
【請求項４】
請求項２または３に記載の排出スタッカ昇降装置において、排出スタッカ昇降装置の基体部側に前記排出スタッカと当接可能な姿勢規制部が設けられ、
前記排出スタッカは、前記第１の位置から前記第２の位置へ移動する際、
前記付勢手段によって付勢されながら前記姿勢規制部と当接し、該排出スタッカの前記媒体案内面の姿勢が前記平行に規制されるように構成されていることを特徴とする排出スタッカ昇降装置。
【請求項５】
請求項２乃至４のいずれか１項に記載の排出スタッカ昇降装置において、
前記排出スタッカは、第２排出用従動ローラを備え、
前記第１の位置から前記第２の位置へ移動する際、記録される第１の媒体および第２の媒体の幅方向および搬送方向に対して直交する方向へ移動して前記媒体案内面の姿勢が前記平行になった後に、
前記付勢手段の付勢力を受けながら、前記排出用駆動ローラと前記第２排出用従動ローラとを協働させるために、搬送方向上流側へ移動するように構成されていることを特徴とする排出スタッカ昇降装置。
【請求項６】
請求項１乃至５のいずれか１項に記載の排出スタッカ昇降装置において、前記付勢手段は、第１付勢手段と、第２付勢手段とを備え、
前記第１付勢手段は、前記排出スタッカの姿勢を安定させ、かつ、前記排出フレーム部を、前記第１排出用従動ローラと前記排出用駆動ローラとが協働する位置側へ付勢可能に設けられ、
前記第２付勢手段は、前記第１排出用従動ローラと前記排出用駆動ローラとが協働する位置側へ付勢可能に設けられていることを特徴とする排出スタッカ昇降装置。
【請求項７】
請求項６に記載の排出スタッカ昇降装置において、前記第１付勢手段および前記第２付勢手段は、同時に作用しないように構成されていることを特徴とする排出スタッカ昇降装置。
【請求項８】
請求項７に記載の排出スタッカ昇降装置において、
前記排出スタッカは、
前記第２付勢手段と、
該第２付勢手段の付勢力に抗して摺動可能なスライダ部と、を備え、
前記第１付勢手段は、前記基体部を基準に前記排出フレーム部を付勢し、
前記第２付勢手段は、前記排出スタッカの前記スライダ部を介して前記排出フレーム部を付勢するように構成されていることを特徴とする排出スタッカ昇降装置。
【請求項９】
請求項７または８に記載の排出スタッカ昇降装置において、
前記排出スタッカが前記第１の位置と前記第２の位置との間を移動するときの移動経路において、
前記排出スタッカが前記第１の位置側の区間に位置するとき、前記第２付勢手段が、前記排出フレーム部に対して作用し、
前記排出スタッカが前記第２の位置側の区間に位置するとき、前記第１付勢手段が、前記排出フレーム部に対して作用し、
前記第２の付勢手段は、前記排出スタッカが前記第１の位置側の区間であって、前記第１の位置以外のとき、付勢力が最大となり、前記第１の位置へ移動するに従って付勢力が減少するように構成されていることを特徴とする排出スタッカ昇降装置。
【請求項１０】
記録ヘッドにより被記録媒体に記録を実行する記録部と、
該記録部から被記録媒体を搬送方向下流側へ排出する排出部とを備えた記録装置であって、
該排出部は、請求項１乃至９のいずれか１項に記載された前記排出スタッカ昇降装置を備えていることを特徴とする記録装置。
【請求項１１】
液体噴射部に設けられた液体噴射ヘッドから液体を第１の媒体および第２の媒体へ噴射する液体噴射装置において液体が噴射された第１の媒体を載置する第１の位置、および第１の媒体と第２の媒体とを液体噴射部へ案内し、かつ、液体が噴射された第１の媒体と第２の媒体とを受け止める第２の位置へ、液体噴射装置に設けられた動力発生部によって移動する排出スタッカを備えた排出スタッカ昇降装置を備えた液体噴射装置であって、
排出スタッカ昇降装置の基体部側に設けられ、第１の媒体および第２の媒体を搬送方向へ移動させる排出用駆動ローラと、
該排出用駆動ローラと協働して第１の媒体を挟持する第１排出用従動ローラを回動自在に保持し、該第１排出用従動ローラが前記排出用駆動ローラに対して接離移動する方向へ移動可能な排出フレーム部と、
該排出フレーム部を、前記第１排出用従動ローラと前記排出用駆動ローラとが協働する位置側へ付勢する付勢手段とを備え、
前記排出フレーム部は、
前記排出スタッカと連結され、前記排出スタッカが前記第１の位置から前記第２の位置へ移動するのに伴って、前記付勢手段の付勢力に抗して前記第１排出用従動ローラが前記排出用駆動ローラから離間する方向へ移動するように構成されていることを特徴とする液体噴射装置。
【発明の詳細な説明】
【技術分野】
【０００１】
本発明は、記録部に設けられた記録ヘッドからインクを吐出して第１の媒体および第２の媒体へ記録する記録装置において記録された第１の媒体を載置する第１の位置、および第１の媒体と第２の媒体とを記録部へ案内し、かつ、記録された第１の媒体と第２の媒体とを受け止める第２の位置へ、記録装置に設けられた動力発生部によって移動する排出スタッカを備えた排出スタッカ昇降装置、該排出スタッカ昇降装置を備えた記録装置、および該排出スタッカ昇降装置を備えた液体噴射装置に関する。
【０００２】
ここで、液体噴射装置とは、液体噴射ヘッドとしての記録ヘッドから記録紙等の被記録材へインクを噴射して被記録材への記録を実行するインクジェット式記録装置、複写機及びファクシミリ等の記録装置に限らず、インクに代えて特定の用途に対応する液体を前述した記録ヘッドに相当する液体噴射ヘッドから、被記録材に相当する被噴射材に噴射して、液体を被噴射材に付着させる装置を含む意味で用いる。また、液体噴射ヘッドとしては、前述した記録ヘッド以外に、液晶ディスプレイ等のカラーフィルタ製造に用いられる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料を噴射する試料噴射ヘッド等が挙げられる。  
また、記録装置には、インクジェットプリンタ、ワイヤドットプリンタ、レーザープリンタ、ラインプリンタ、複写機、ファクシミリ等の種類が含まれるものとする。
【０００３】
尚、本願明細書において、「第１の媒体」とは、一例として「非剛性媒体」をいい、「第２の媒体」とは、一例として「剛性媒体」をいう。  
ここで、「非剛性媒体」とは、用紙、ＯＨＰシート等の可撓性を有した媒体をいう。また、「剛性媒体」とは、ＣＤ−Ｒを取り付けた専用ＣＤ−Ｒトレイ等の殆ど可撓性を有さない媒体をいう。
【背景技術】
【０００４】
従来技術では、非剛性媒体の一例として用紙を記録するインクジェット式記録装置で、剛性媒体の一例としてＣＤ−Ｒのような情報記録媒体のラベル面に記録を実行していた（例えば、特許文献１〜特許文献４）。用紙は搬送経路の上流側に設けられたホッパに積層され、ホッパの揺動によって積層された用紙のうち最上の用紙のみが、側視Ｄ型の給送ローラにピックアップされるように構成されている。  
そして、用紙は、給送ローラから搬送方向下流側の搬送ローラ対まで給送され、搬送ローラ対に挟持されながら、記録部へ搬送される。さらに、用紙は、記録部で記録されて搬送方向下流側の排出ローラ対によって排出スタッカへ排出される。  
通常、記録した用紙を排出スタッカに載置するため、排出スタッカは、排出ローラ対より下方に配設されている。
【０００５】
一方、ＣＤ−Ｒのラベル面を記録する場合、ディスク状のＣＤ−Ｒを姿勢良く搬送するために、専用のＣＤ−ＲトレイにＣＤ−Ｒを取り付けて記録する。このとき、非剛性である用紙の搬送経路のうち、給送ローラと搬送ローラとの間は、重なって給送されそうになる用紙を分離する目的で直線状に設けられていない。従って、剛性であるＣＤ−ＲおよびＣＤ−Ｒトレイを、用紙と同様にホッパにセットすることはできない。
【０００６】
そこで、新たに直線状の搬送経路を設け、ＣＤ−Ｒトレイを、記録ヘッドがＣＤ−Ｒのラベル面に対して記録することができる位置まで移動させていた。そして、記録開始位置から下流側へ移動させながらＣＤ−Ｒのラベル面に記録を実行していた。  
このとき、用紙の厚みと、ＣＤ−Ｒトレイの厚みは異なるため、記録ヘッドとＣＤ−Ｒトレイとの間隔、所謂、プラテンギャップ（ペーパーギャップともいう。以下、ＰＧとする。）を変更・調整する必要がある。また、排出ローラ対についても変更する必要がある。通常、排出ローラ対の従動側である排出用従動ローラは、駆動側のローラと協働して用紙を挟持すると共に、用紙の記録面との接触面積を可能な限り小さくするために、突起状の所謂、ギザローラが用いられている。
【０００７】
ところが、ギザローラをＣＤ−Ｒトレイの移動に用いると、ＣＤ−Ｒのラベル面と当接してＣＤ−Ｒに記録されたデータ情報を破損する虞がある。  
そこで、従来では、ＣＤ−Ｒのラベル面に記録をする際、ギザローラを駆動側のローラから退避移動、所謂、レリースするように構成されていた。
【特許文献１】特許３６３３５０９号公報
【特許文献２】特開２００４−０９０４４８号公報
【特許文献３】特開２００４−３４６３７号公報
【特許文献４】特開２００３−２１１７６０号公報
【発明の開示】
【発明が解決しようとする課題】
【０００８】
しかしながら、ギザローラをレリースする方法としては、ユーザの操作をトリガとしたものしかなかった。さらに、排出スタッカを移動可能に設けて、排出スタッカとＣＤ−Ｒトレイガイドとを兼ねる構成では、排出スタッカ等が個々に手動で移動するものしかなかった。従って、ユーザの操作が不確実な場合、排出スタッカやギザローラ等の動作が不安定になる虞がある。例えば、排出スタッカが剛性媒体を記録するときにとる位置に位置するにもかかわらず、ギザローラが剛性媒体を記録するときにとる位置に位置しないといった誤操作によるつじつまが合わない状態が生じる虞がある。
【０００９】
本発明は、このような状況に鑑み成されたものであり、その課題は、排出スタッカを第２の媒体記録時にとる位置へ移動させることにより、確実に排出用従動ローラであるギザローラを排出用駆動ローラに対して退避移動させることができる排出スタッカ昇降装置、該排出スタッカ昇降装置を備えた記録装置、および該排出スタッカ昇降装置を備えた液体噴射装置を提供することである。
【課題を解決するための手段】
【００１０】
上記課題を達成するため、本発明の第１の態様は、記録部に設けられた記録ヘッドからインクを吐出して第１の媒体および第２の媒体へ記録する記録装置において記録された第１の媒体を載置する第１の位置、および第１の媒体と第２の媒体とを記録部へ案内し、かつ、記録された第１の媒体と第２の媒体とを受け止める第２の位置へ、記録装置に設けられた動力発生部によって移動する排出スタッカを備えた排出スタッカ昇降装置であって、排出スタッカ昇降装置の基体部側に設けられ、第１の媒体および第２の媒体を搬送方向へ移動させる排出用駆動ローラと、該排出用駆動ローラと協働して第１の媒体を挟持する第１排出用従動ローラを回動自在に保持し、該第１排出用従動ローラが前記排出用駆動ローラに対して接離移動する方向へ移動可能な排出フレーム部と、該排出フレーム部を、前記第１排出用従動ローラと前記排出用駆動ローラとが協働する位置側へ付勢する付勢手段とを備え、前記排出フレーム部は、前記排出スタッカと連結され、前記排出スタッカが前記第１の位置から前記第２の位置へ移動するのに伴って、前記付勢手段の付勢力に抗して前記第１排出用従動ローラが前記排出用駆動ローラから離間する方向へ移動するように構成されていることを特徴とする。
【００１１】
本発明の第１の態様によれば、前記排出フレーム部は、前記排出スタッカと連結され、前記排出スタッカが前記第１の位置から前記第２の位置へ移動するのに伴って、前記付勢手段の付勢力に抗して前記第１排出用従動ローラが前記排出用駆動ローラから離間する方向へ移動するように構成されている。即ち、第２の媒体を記録する際に必要な前記第１排出用従動ローラの前記排出用駆動ローラに対する退避移動を、前記排出スタッカの移動に連動させるように構成されている。従って、前記排出スタッカが第２の媒体を記録するときにとる位置に位置するにもかかわらず、前記第１排出用従動ローラが第２の媒体を記録するときにとる位置に位置しないといった誤操作によるつじつまが合わない状態が生じる虞がない。
【００１２】
また、付勢手段は、前記排出フレーム部を、前記第１排出用従動ローラと前記排出用駆動ローラとが協働する位置側へ付勢するように構成されている。従って、付勢手段は、前記排出スタッカを前記第２の位置から前記第１の位置へ移動させた際、前記排出フレーム部を、前記第１排出用従動ローラと前記排出用駆動ローラとが協働する位置へ案内することができる。
【００１３】
本発明の第２の態様は、第１の態様において、前記排出スタッカは、前記第１の位置から前記第２の位置へ移動する際、記録時の搬送方向下流側へ移動し、その後、記録される第１の媒体および第２の媒体の幅方向および搬送方向に対して直交する方向へ移動し、前記排出スタッカに設けられ、第１の媒体と第２の媒体とを案内する媒体案内面の姿勢が、記録される第１の媒体および第２の媒体の幅方向および搬送方向に対して、平行になるように構成されている排出スタッカ昇降装置であって、前記排出スタッカは、前記第１の位置と前記第２の位置との間を移動する際、前記排出スタッカは、該排出スタッカに設けられた突部と、排出スタッカ昇降装置の基体部側に設けられた溝部との係合によって案内されると共に、前記付勢手段によって付勢されるように構成されていることを特徴とする。
【００１４】
本発明の第２の態様によれば、第１の態様と同様の作用効果に加え、前記排出スタッカは、前記第１の位置と前記第２の位置との間を移動する際、前記排出スタッカは、該排出スタッカに設けられた突部と、排出スタッカ昇降装置の基体部側に設けられた溝部との係合によって案内されると共に、前記付勢手段によって付勢されるように構成されている。従って、前記突部と前記溝部との間に間隙が生じる虞がなく、前記第１排出スタッが前記第１の位置と前記第２の位置との間を移動する際、該排出スタッカの姿勢および位置を精度良く決めることができる。
【００１５】
本発明の第３の態様は、第２の態様において、前記排出スタッカ側に設けられたラックと、排出スタッカ昇降装置の基体部側に設けられ、前記ラックへ動力を伝達するピニオンとを備え、前記排出スタッカは、前記ラックおよび前記ピニオンによって、前記ラックに沿って記録される第１の媒体および第２の媒体の幅方向かつ搬送方向に対して直交する方向、および搬送方向へ移動するように構成されていることを特徴とする。
【００１６】
本発明の第３の態様によれば、第２の態様と同様の作用効果に加え、前記排出スタッカは、前記ラックおよび前記ピニオンによって、前記ラックに沿って記録される第１の媒体および第２の媒体の幅方向かつ搬送方向に対して直交する方向、および搬送方向へ移動するように構成されている。従って、前記ラックが設けられた方向に沿って、前記排出スタッカを一方向のみならず、記録される第１の媒体および第２の媒体の幅方向かつ搬送方向に対して直交する方向、および搬送方向へ精度良く移動させることができる。  
また、前記ラックに沿って、前記排出スタッカを移動させることに加え、前記突部と前記溝部との係合・案内および前記付勢手段に相俟って前記排出スタッカの姿勢を精度良く変えることができる。
【００１７】
本発明の第４の態様は、第２または第３の態様において、排出スタッカ昇降装置の基体部側に前記排出スタッカと当接可能な姿勢規制部が設けられ、前記排出スタッカは、前記第１の位置から前記第２の位置へ移動する際、前記付勢手段によって付勢されながら前記姿勢規制部と当接し、該排出スタッカの前記媒体案内面の姿勢が前記平行に規制されるように構成されていることを特徴とする。
【００１８】
本発明の第４の態様によれば、第２または第３の態様と同様の作用効果に加え、前記排出スタッカは、前記第１の位置から前記第２の位置へ移動する際、前記付勢手段によって付勢されながら前記姿勢規制部と当接し、該排出スタッカの前記媒体案内面の姿勢が前記平行に規制されるように構成されている。従って、排出スタッカの姿勢を精度良く決めることができる。
【００１９】
本発明の第５の態様は、第２から第４のいずれか一の態様において、前記排出スタッカは、第２排出用従動ローラを備え、前記第１の位置から前記第２の位置へ移動する際、記録される第１の媒体および第２の媒体の幅方向および搬送方向に対して直交する方向へ移動して前記媒体案内面の姿勢が前記平行になった後に、前記付勢手段の付勢力を受けながら、前記排出用駆動ローラと前記第２排出用従動ローラとを協働させるために、搬送方向上流側へ移動するように構成されていることを特徴とする。
【００２０】
本発明の第５の態様によれば、第２から第４のいずれか一の態様と同様の作用効果に加え、前記排出スタッカは、第２排出用従動ローラを備え、前記第１の位置から前記第２の位置へ移動する際、記録される第１の媒体および第２の媒体の幅方向および搬送方向に対して直交する方向へ移動して前記媒体案内面の姿勢が前記平行になった後に、前記付勢手段の付勢力を受けながら、前記排出用駆動ローラと前記第２排出用従動ローラとを協働させるために、搬送方向上流側へ移動するように構成されている。従って、第２の媒体を記録する際、前記排出スタッカの移動に伴って、第２の媒体用の前記第２排出用従動ローラを、前記排出用駆動ローラと協働する位置まで移動させることができる。そして、第２の媒体を記録する際、前記第２排出用従動ローラは、前記排出用駆動ローラと協働して、第２の媒体を搬送方向上流側および下流側へ移動させることができる。
【００２１】
本発明の第６の態様は、第１から第５のいずれか一の態様において、前記付勢手段は、第１付勢手段と、第２付勢手段とを備え、前記第１付勢手段は、前記排出スタッカの姿勢を安定させ、かつ、前記排出フレーム部を、前記第１排出用従動ローラと前記排出用駆動ローラとが協働する位置側へ付勢可能に、前記第２付勢手段は、前記第１排出用従動ローラと前記排出用駆動ローラとが協働する位置側へ付勢可能に設けられていることを特徴とする。
【００２２】
本発明の第６の態様によれば、第１から第５のいずれか一の態様と同様の作用効果に加え、前記付勢手段は、前記第１付勢手段と、前記第２付勢手段とを備えている。即ち、役割毎に付勢手段が設けられている。従って、目的に応じて所望のタイミングで所望の付勢力を得ることができる。例えば、モータの動力によって、前記排出スタッカを移動させる場合、付勢手段の付勢力によるモータ負荷を低減することができる。
【００２３】
本発明の第７の態様は、第６の態様において、前記第１付勢手段および前記第２付勢手段は、同時に作用しないように構成されていることを特徴とする。  
本発明の第７の態様によれば、第６の態様と同様の作用効果に加え、前記第１付勢手段および前記第２付勢手段は、同時に作用しないように構成されている。従って、余分な力が、前記排出スタッカに作用しないようにすることが可能である。その結果、前記排出スタッカが移動する際の負荷、例えば、モータの動力によって移動する場合はモータの負荷、をより一層低減することができる。
【００２４】
本発明の第８の態様は、第７の態様において、前記排出スタッカは、前記第２付勢手段と、該第２付勢手段の付勢力に抗して摺動可能なスライダ部と、を備え、前記第１付勢手段は、前記基体部を基準に前記排出フレーム部を付勢し、前記第２付勢手段は、前記排出スタッカの前記スライダ部を介して前記排出フレーム部を付勢するように構成されていることを特徴とする。
【００２５】
本発明の第８の態様によれば、第７の態様と同様の作用効果に加え、前記第１付勢手段は、前記基体部を基準に前記排出フレーム部を付勢し、前記第２付勢手段は、前記排出スタッカの前記スライダ部を介して前記排出フレーム部を付勢するように構成されている。即ち、前記第１付勢手段は、直接的、かつ、前記基体部を基準に絶対的に前記排出フレーム部に対して作用し、前記第２付勢手段は、前記スライダ部を介して間接的、かつ、移動可能な前記排出スタッカを基準に相対的に前記排出フレーム部に対して作用するように構成されている。従って、前記排出スタッカを移動させることにより、容易に前記第１付勢手段および前記第２付勢手段が同時に作用しないように構成することが可能である。
【００２６】
本発明の第９の態様は、第７または第８の態様において、前記排出スタッカが前記第１の位置と前記第２の位置との間を移動するときの移動経路において、前記排出スタッカが前記第１の位置側の区間に位置するとき、前記第２付勢手段が、前記排出フレーム部に対して作用し、前記排出スタッカが前記第２の位置側の区間に位置するとき、前記第１付勢手段が、前記排出フレーム部に対して作用し、前記第２の付勢手段は、前記排出スタッカが前記第１の位置側の区間であって、前記第１の位置以外のとき、付勢力が最大となり、前記第１の位置へ移動するに従って付勢力が減少するように構成されていることを特徴とする。
【００２７】
本発明の第９の態様によれば、第７または第８の態様と同様の作用効果に加え、前記第２の付勢手段は、前記排出スタッカが前記第１の位置側の区間であって、前記第１の位置以外のとき、付勢力が最大となり、前記第１の位置へ移動するに従って付勢力が減少するように構成されている。従って、前記排出スタッカを前記第２の位置から前記第１の位置へ移動させる際、前記排出スタッカに連結された前記排出フレーム部を、前記排出スタッカが第１の位置のときにとる、前記第１排出用従動ローラと前記排出用駆動ローラとが協働する位置へ、確実に押し込むように移動させることができる。そして、移動させた後は、前記付勢力が減少するので、各部材が変形する所謂、クリープ変形が生じる虞を低減することができる。
【００２８】
また、前述したように前記第２付勢手段は、前記スライダ部を介して移動可能な前記排出スタッカを基準に相対的に前記排出フレーム部に対して作用するように構成されている。このとき、前記排出スタッカが前記第１の位置から前記第２の位置側へ移動する際、先に排出スタッカが移動し始め、次に前記排出フレーム部がタイミングをずらして移動するように構成することにより、前記第２付勢手段の付勢力の反作用を、前記排出スタッカが移動する動力に利用することができる。従って、前記排出スタッカが前記第１の位置から前記第２の位置側へ移動する際の負荷、例えば、モータの動力によって移動する場合はモータの負荷、を低減することができる。
【００２９】
本発明の第１０の態様は、記録ヘッドにより被記録媒体に記録を実行する記録部と、該記録部から被記録媒体を搬送方向下流側へ排出する排出部とを備えた記録装置であって、該排出部は、上記第１から第９のいずれかの態様の前記排出スタッカ昇降装置を備えていることを特徴とする。  
本発明の第１０の態様によれば、前記排出部は、上記第１から第９のいずれかの態様の排出スタッカ昇降装置を備えているので、記録装置において、上記第１から第９のいずれかの態様の作用効果と同様の作用効果を得ることができる。
【００３０】
本発明の第１１の態様は、液体噴射部に設けられた液体噴射ヘッドから液体を第１の媒体および第２の媒体へ噴射する液体噴射装置において液体が噴射された第１の媒体を載置する第１の位置、および第１の媒体と第２の媒体とを液体噴射部へ案内し、かつ、液体が噴射された第１の媒体と第２の媒体とを受け止める第２の位置へ、液体噴射装置に設けられた動力発生部によって移動する排出スタッカを備えた排出スタッカ昇降装置を備えた液体噴射装置であって、排出スタッカ昇降装置の基体部側に設けられ、第１の媒体および第２の媒体を搬送方向へ移動させる排出用駆動ローラと、該排出用駆動ローラと協働して第１の媒体を挟持する第１排出用従動ローラを回動自在に保持し、該第１排出用従動ローラが前記排出用駆動ローラに対して接離移動する方向へ移動可能な排出フレーム部と、該排出フレーム部を、前記第１排出用従動ローラと前記排出用駆動ローラとが協働する位置側へ付勢する付勢手段とを備え、前記排出フレーム部は、前記排出スタッカと連結され、前記排出スタッカが前記第１の位置から前記第２の位置へ移動するのに伴って、前記付勢手段の付勢力に抗して前記第１排出用従動ローラが前記排出用駆動ローラから離間する方向へ移動するように構成されていることを特徴とする。
【発明を実施するための最良の形態】
【００３１】
以下、本願発明に係る排出スタッカ昇降装置及び該排出スタッカ昇降装置を適用した液体噴射装置の一例である記録装置について説明する。最初に本願発明の液体噴射装置、そしてその一例である記録装置を実施するための最良の形態としてインクジェットプリンタ１００を採り上げて、その全体構成の概略を図面に基づいて説明する。
【００３２】
図１はインクジェットプリンタの外観を示す斜視図、図２はハウジングを取り外してインクジェットプリンタの内部構造を示す斜視図である。また図３はインクジェットプリンタの内部構造の概略を示す側断面図である。
【００３３】
尚、ここで説明するインクジェットプリンタ１００は、図１に示すように液体噴射装置本体、そして記録装置本体の一例であるプリンタ本体３の上方にスキャナ装置４を備えている。プリンタ本体３の前面パネル６の中央に液晶モニタ画面７、その左右に操作ボタン８を備えている。前面パネル６の下方中央部には、デジタルカメラで撮影した写真データが収録されたメモリカード等を挿入するためのメモリカード挿入部９が設けられている。また、このタイプのインクジェットプリンタ１００は、パーソナルコンピュータを使用しないでダイレクトに記録が実行でき、コピー機としても使用できる複合機能を有する比較的コンパクトなタイプのインクジェットプリンタである。
【００３４】
また、プリンタ本体３の前面下部には前後方向に着脱自在に給送用カセット３０が設けられている。また、該給送用カセット３０の上部には図１中、実線で示すように未使用状態ではプリンタ本体３の前面カバーの一部としても機能する排出用スタッカ５０が設けられている。尚、該排出用スタッカ５０は、図１中、仮想線で示すように使用状態では手前に拡開されて、載置面５１を上方に向けた姿勢で使用される。また、液晶モニタ画面７と操作ボタン８の一部及びメモリカード挿入部９は、パーソナルコンピュータに接続しないでダイレクトに記録を実行する場合に使用される部位である。即ち、メモリカード挿入部９に図示しないメモリカードを挿入し、液晶モニタ画面７を見ながら操作ボタン８を操作することによって好みの写真を簡単に家庭に居ながら何枚でも高品質にプリントすることができるようになっている。
【００３５】
また、プリンタ本体３の背面側の上部には、自動的に被液体噴射材の一例である被記録材Ｐ（以下単に用紙Ｐともいう）を連続して給送することのできる自動給送装置２が設けられている。自動給送装置２は、用紙Ｐを複数枚積畳し得る給送用トレイ５と、給送用トレイ５上の用紙Ｐを給送用ローラ１４に向けて押上げるホッパ１６と、ホッパ１６との挟圧送り作用によって給送用トレイ５上の上位の用紙Ｐをピックアップする給送用ローラ１４と、最上位の用紙Ｐのみが給送されるように重送された後続の用紙Ｐを最上位の用紙Ｐから分離する分離作用部の一例である図示しないリタードローラないし分離パッド等と、分離された後続の用紙Ｐを給送用トレイ５上に戻す図示しない戻しレバー等とを備えている。
【００３６】
次に、用紙Ｐの搬送経路に従ってインクジェットプリンタ１００の内部構造の概略を説明する。給送用トレイ５は、最も搬送方向上流側に設けられおり、複数枚の用紙Ｐを積畳する被液体噴射材積畳部の一例である。また、給送用トレイ５には用紙Ｐの側端縁（エッジ）に当接し、用紙Ｐの搬送方向となる副走査方向Ｙへの円滑な搬送を案内するエッジガイド１５が設けられている。給送用トレイ５上の用紙Ｐは、給送用ローラ１４の回転軸１７の回転に伴って、ホッパ１６が所定のタイミングで上昇し、給送用ローラ１４に向けて押し上げられる。そして、用紙Ｐは、給送用ローラ１４の回転に伴って最上面に位置する用紙Ｐから順番に給送用ローラ１４近傍に設けられる分離作用部である図示しないリタードローラ等の分離力を受けて単位数ずつピックアップされて搬送方向下流に向けて給送される。
【００３７】
給送用ローラ１４の下流には、用紙Ｐの通過を検出する被液体噴射材検出手段の一例である図示しない被記録材検出手段（以下単に検出レバーという）が設けられている。検出レバーの下流には、搬送用駆動ローラ１９ａと搬送用従動ローラ１９ｂとによって構成される搬送用ローラ１９が設けられている。このうち搬送用従動ローラ１９ｂは、ローラホルダ１８の下流端部において軸支され、当該ローラホルダ１８は、図示しないねじりコイルバネによって搬送用従動ローラ１９ｂが常に搬送用駆動ローラ１９ａに圧接したニップ状態になるように回動付勢されている。
【００３８】
そして、搬送用ローラ１９によって挟圧された状態で搬送される用紙Ｐは、記録ポジション２６に導かれ、記録ポジション２６には用紙Ｐに記録を実行する液体噴射実行手段の一例である記録実行手段の主たる構成要素としてキャリッジ１０が設けられている。該キャリッジ１０は、記録される用紙ＰおよびＣＤ−ＲトレイＱの幅方向である主走査方向Ｘに往復移動可能にキャリッジガイド軸１２に軸支され、無端ベルト１１によって往復移動されるようになっている。そして、キャリッジ１０の下面には、用紙Ｐ等に液体の一例であるインクを吐出（噴射）して記録を実行する液体噴射ヘッドの一例である記録ヘッド１３が搭載されている。また、キャリッジ１０には液体カートリッジの一例であるインクカートリッジＣが挿着されている。
【００３９】
記録ヘッド１３の下方には、記録ヘッド１３と対向して該記録ヘッド１３のヘッド面と用紙Ｐ等との間のギャップＰＧを規定するプラテン２８が設けられている。そして、記録ヘッド１３とプラテン２８との間において、用紙Ｐ等を主走査方向Ｘと直交する副走査方向Ｙに所定の搬送量で搬送する動作と、記録ヘッド１３を主走査方向Ｘに一往復させる間に記録ヘッド１３から用紙Ｐ等にインクを噴射する動作とを相互に繰り返すことによって、用紙Ｐ等の記録面のほぼ全面に亘って所望の記録が実行される。尚、上記ギャップＰＧは、高精度の記録を実行する上で極めて重要な要素となっており、用紙Ｐの厚さの変化等に応じて適宜調節されるようになっている。
【００４０】
記録ヘッド１３の下流には排出用駆動ローラ２０ａと、複数の第１排出用従動ローラ２０ｂ、２０ｂ、……とによって構成される被液体噴射材排出手段の一例である排出用ローラ２０が設けられている。また第１排出用従動ローラ２０ｂ、２０ｂ、……近傍の搬送方向上流には、複数の排出用補助従動ローラ２２、２２、……が設けられている。そして、排出用ローラ２０によって排出された用紙Ｐは、更に搬送方向下流に位置する被液体噴射材受け部の一例である上記の排出用スタッカ５０上の載置面５１に排出されるようになっている。
【００４１】
第１排出用従動ローラ２０ｂ、２０ｂ、……と排出用補助従動ローラ２２、２２、……は、その外周に複数の歯を有する歯付きローラであり、それぞれを保持するローラホルダによって自由回転可能に軸支されている。また、上記搬送用従動ローラ１９ｂは、搬送用駆動ローラ１９ａよりその軸芯位置が幾分搬送方向下流側に位置するように配設されており、上記第１排出用従動ローラ２０ｂ、２０ｂ、……は排出用駆動ローラ２０ａより軸芯位置が幾分搬送方向上流側に位置するように配設されている。このような配設態様をとることによって、用紙Ｐは搬送用ローラ１９と排出用ローラ２０との間において僅かに下に凸となる「逆ぞり」と呼ばれている湾曲状態が形成される。これにより、記録ヘッド１３に対向する位置にある用紙Ｐは、プラテン２８に押し付けられ、用紙Ｐの浮き上がりが防止されて正常に記録が実行されるようになっている。
【００４２】
［実施例］  
次に、このようなインクジェットプリンタ１００に対して設けられる本発明の排出スタッカ昇降装置について図面に基づいて具体的に説明する。  
図４〜図６に示すのは、本発明の排出スタッカ昇降装置を示す正面斜視図である。このうち、図４は用紙記録モードにおける第１排出スタッカが第１の位置にある状態であり、図５はＣＤ−Ｒ記録モードにおける第１排出スタッカが第２の位置にある状態である。そして、図６は、図５においてＣＤ−Ｒトレイをセットした状態である。
【００４３】
図４〜図６に示す如く、記録装置１００の用紙等を排出する排出部１２０には、排出スタッカ昇降装置２００が設けられており、排出スタッカ昇降装置２００は、用紙Ｐを記録する用紙記録モードと、ＣＤ−Ｒのラベルを記録するＣＤ−Ｒ記録モードとを備えている。記録モードの切り替えは、ユーザが、操作ボタン８を操作することによって切り替わるように設けられている。そして、記録モードが切り替わると、排出用駆動ローラ２０ａの動力源の第１モータ９０１（図７〜図９参照）によって、排出スタッカ昇降装置２００に設けられた第１排出スタッカ５００が第１の位置および第２の位置へ移動するように構成されている。第１排出スタッカ５００の移動については、後に詳しく説明するとして、先ず、第１の位置および第２の位置について説明する。  
尚、記録モードの切り替えは、記録情報データが、制御部９００（図７〜図９参照）へ送られた時点で、制御部９００が判断して、記録モードの切り替えを行うように設けてもよい。  
また、図４〜図６において、図中Ｘ方向右側が１桁側であり、左側が８０桁側である。
【００４４】
図４に示す如く、排出用スタッカ５０は、副走査方向Ｙである搬送方向上流側の第１排出スタッカ５００と、下流側の第２排出スタッカ６００とを備えている。そして、第２排出スタッカ６００が、記録装置１００の前面に設けられた載置開口部２６０を開閉するように構成されており、図４に示す状態は開いた状態である。用紙記録モードにおいて、記録された用紙Ｐが排出用ローラ２０によって排出されると、用紙Ｐは、載置面５１としての第１排出スタッカ５００の第１載置部５１０および第２排出スタッカ６００の第２載置部６１０の上面に載置される。このとき、第１排出スタッカ５００の搬送方向下流端が、第２排出スタッカ６００の上流端より高くなるように構成されている。従って、用紙Ｐの先端部、即ち、搬送方向下流端が、第１排出スタッカ５００と第２排出スタッカ６００との間の間隙に引っ掛かる不具合、所謂、用紙ジャムが生じる虞がない。
【００４５】
図５に示す如く、ＣＤ−Ｒ記録モードでは、第１排出スタッカ５００が、搬送方向下流側である第２排出スタッカ６００の上方まで移動する。この位置が第１排出スタッカ５００の第２の位置である。第１排出スタッカ５００は、第１載置部５１０の搬送方向下流側にＣＤ−Ｒトレイ案内開口部５２２と、ＣＤ−Ｒトレイ案内開口部内の下面であってＣＤ−ＲトレイＱ（図６参照）を搬送方向（Ｙ）へ案内する媒体案内面であるＣＤ−Ｒトレイ案内面５２３とを備えている。第２の位置では、ＣＤ−Ｒトレイ案内面５２３が、搬送方向（Ｙ）および主走査方向Ｘに対して平行であり、かつ、排出用駆動ローラ２０ａおよびプラテン２８の上部の位置と同じ高さとなるように設けられている。
【００４６】
図６に示す如く、ＣＤ−Ｒ記録モードに切り替えられると、第１排出スタッカ５００は第２の位置へ移動する。そして、ユーザは、ラベルに記録するＣＤ−Ｒを専用のＣＤ−ＲトレイＱに取り付け、該ＣＤ−ＲトレイＱを第１排出スタッカ５００のＣＤ−Ｒトレイ案内開口部５２２へ挿入しセットする。セットされると、ＣＤ−ＲトレイＱは、排出用駆動ローラ２０ａおよび後述する第２排出用従動ローラ５０３、５０３（図１０〜図２２参照）によって挟持される。その後、排出用駆動ローラ２０ａの逆転駆動によって、搬送方向上流側へ送られる。そして、ＣＤ−ＲトレイＱに取り付けられたＣＤ−Ｒの搬送方向下流端が、記録ヘッド１３と対向する位置、所謂、記録開始ポジションで停止する。このとき、ＣＤ−ＲトレイＱの上流側は、搬送用従動ローラ１９ａがＣＤ−Ｒのラベル面と当接してＣＤ−Ｒに記憶されたデータが破損されるのを防止するため、搬送用ローラ１９に挟持されないように設けられている。
【００４７】
尚、排出用駆動ローラ２０ａおよび第２排出用従動ローラ５０３、５０３は、ＣＤ−Ｒを直接挟持するのではなく、ＣＤ−Ｒトレイ本体（Ｑ）の主走査方向両側近傍を挟持するように２つ設けられている。従って、ＣＤ−Ｒに記憶されたデータ情報を破損する虞がない。また、ＣＤ−Ｒトレイの搬送精度を向上させるために、排出用駆動ローラ２０ａおよび第２排出用従動ローラ５０３、５０３だけでなく、搬送用ローラ１９もＣＤ−Ｒトレイを挟持して搬送するように構成してもよいのは勿論である。
【００４８】
その後、排出用駆動ローラ２０ａを正転駆動させて、ＣＤ−ＲトレイＱを搬送方向下流側へ移動させながら記録ヘッド１３を主走査方向Ｘへ走査させＣＤ−Ｒのラベルに対して記録を実行する。そして、記録が終了すると、排出用駆動ローラ２０ａおよび第２排出用従動ローラ５０３、５０３が協働して、ＣＤ−ＲトレイＱを搬送方向下流側へ排出する。このとき、ＣＤ−ＲトレイＱの搬送方向上流端が、排出用駆動ローラ２０ａおよび第２排出用従動ローラ５０３、５０３のニップから外れるので、ＣＤ−ＲトレイＱは、再び図６に示す如くＣＤ−Ｒトレイ案内開口部５２２からＣＤ−ＲトレイＱの一部が突出した位置よりもさらに突出した位置で停止する。
【００４９】
ＣＤ−Ｒ記録モードでは、ＣＤ−Ｒトレイ案内開口部５２２を備えた第１排出スタッカ５００が、搬送方向下流側へ移動するので、ユーザは、ＣＤ−ＲトレイＱを容易にセットすることができる。また、記録後において、ユーザは、ＣＤ−ＲトレイＱを容易に取り出すことができる。このとき、ＣＤ−ＲトレイＱの一部が、ＣＤ−Ｒトレイ案内開口部５２２より突出しているので、一層容易にＣＤ−ＲトレイＱを取り出すことができる。  
また、第１排出スタッカ５００が、搬送方向下流側へ移動するので、ＣＤ−ＲトレイＱの重心を支持することの可能である。従って、ＣＤ−ＲトレイＱの姿勢を安定させることができる。
【００５０】
［ＰＧ切り替えおよび記録モード切り替えについて］  
図７〜図９に示すのは、本発明に係る排出スタッカ昇降装置への動力伝達を示す概略側面図である。このうち、図７は動力が切断された状態である。そして、図８は排出用駆動ローラの逆転状態で動力が伝達されている状態であり、図９は排出用駆動ローラの正転状態で動力が伝達されている状態である。
【００５１】
図７に示す如く、記録装置１００には、記録部１１０に設けられた記録ヘッド１３とプラテン２８との間隔を用紙等の厚みによって調整することができる記録部ギャップ調整装置３００、ＣＤ−Ｒのラベルを記録する際にＣＤ−ＲトレイＱを案内および受け止めをするために、第１排出スタッカ５００を移動させる排出スタッカ昇降装置２００、および排出用駆動ローラ２０ａの動力が排出スタッカ昇降装置２００へ伝達するのを切り替える動力伝達切り替え装置４００を備えている。
【００５２】
このうち、記録部ギャップ調整装置３００は、図示しない第２モータであるＰＧ調整用モータによって回動するカム軸３０２と、カム軸３０２の回動支点に対して偏心するように設けられたキャリッジガイド軸１２と、カム軸３０２に設けられたＰＧ調整カム部３０１と、図示しないねじりコイルばねによって常にＰＧ調整カム部３０１を付勢するレバー部材３０４とを備えている。  
また、排出スタッカ昇降装置２００は、基体部２２０と、動力伝達切り替え装置４００から伝達された動力を第１排出スタッカ５００へ伝達する動力伝達手段２１０と、第１の位置と第２の位置との間を移動する第１排出スタッカ５００とを備えている。
【００５３】
またさらに、動力伝達切り替え装置４００は、第１モータ９０１によって回動する排出用駆動ローラ２０ａと同軸に設けられ、一体に回動する太陽ギア４２６と、太陽ギア４２６と外接する第１遊星ギア４２３および第２遊星ギア４２４と、第１遊星ギア４２３および第２遊星ギア４２４を保持すると共に太陽ギア４２６の回動支点軸４２５を支点に回動自在に揺動する遊星ギアホルダ部４２０と、第１遊星ギア４２３および第２遊星ギア４２４の動力を受ける第１ギア２１１と、遊星ギアホルダ部４２０の姿勢を規制するロックレバー４１０とを備えている。  
ここで、第１モータ９０１は、搬送用駆動ローラ１９ａおよび給送用ローラ１４をも回動させるように構成され、制御部９００によって制御されている。
【００５４】
記録ヘッド１３は、キャリッジガイド軸１２によって主走査方向Ｘへ移動するキャリッジ１０に設けられている。用紙Ｐの厚みの変更、あるいは用紙Ｐを記録する用紙記録モードからＣＤ−Ｒのラベル面を記録するＣＤ−Ｒ記録モードへ変更があると、図示しないＰＧ調整用モータ（第２モータ）によってカム軸３０２が回動する。このとき、キャリッジガイド軸１２は、カム軸３０２に対して偏心している。従って、記録部ギャップ調整装置３００は、カム軸３０２の回動によって、記録ヘッド１３とプラテン２８との間隔である、所謂、プラテンギャップあるいはペーパーギャップ（以下、ＰＧとする）を調整することができる。
【００５５】
また、カム軸３０２には、ＰＧ調整カム部３０１が設けられている。そして、図示しないねじりコイルばねによって、レバー軸３０５を支点に図中時計方向へ付勢されたレバー部材３０４のレバー当接部３０３が、ＰＧ調整カム部３０１と当接・押圧するように設けられている。このとき、ＰＧ調整は、ＰＧ調整カム部３０１の弧部３０１ａがレバー当接部３０３と当接する範囲内で、カム軸３０２を回動させて実行されるように構成されている。そして、用紙記録モードおよびＣＤ−Ｒ記録モードの切り替えを行う際に、ＰＧ調整カム部３０１の弦部３０１ｂがレバー当接部３０３に対向するように、カム軸３０２を回動させて、後述する動力伝達切り替え装置４００の切り替えを行うように構成されている。
【００５６】
レバー部材３０４のレバー当接部３０３が設けられた側に対して反対側は、基体部２２０に設けられたバーガイド４３１によって水平方向へ往復移動するスライドバー４３０の一端と回動自在に連結されている。一方、スライドバー４３０の他端は、ロックレバー４１０の一端と回動自在に連結されている。
【００５７】
前述したように、太陽ギア４２６は、排出用駆動ローラ２０ａの回動によって、回動するように設けられている。そして、太陽ギア４２６の回動によって、第１遊星ギア４２３および第２遊星ギア４２４を保持した遊星ギアホルダ部４２０は、太陽ギア４２６の回動方向と同じ方向へ回動しようとするが、ロックレバー４１０によって、姿勢が規制されている。そして、第１遊星ギア４２３および第２遊星ギア４２４のいずれもが、第１ギア２１１と離間した状態となる。従って、太陽ギア４２６の動力は、第１ギア２１１へ伝達されない。
【００５８】
ここで、遊星ギアホルダ部４２０は、遊星ギアホルダ部４２０と回動支点軸４２５との間に生じる摩擦抵抗によって、太陽ギア４２６と同じ方向へ回動するように構成してもよい。また、第１遊星ギア４２３および第２遊星ギア４２４と、遊星ギアホルダ部４２０との間に生じる摩擦抵抗によって、太陽ギア４２６と同じ方向へ回動するように構成してもよい。
【００５９】
［用紙記録モードからＣＤ−Ｒ記録モードへの切り替え］  
図８に示す如く、カム軸３０２が時計方向へ回動して、弦部３０１ｂがレバー当接部３０３と対向すると、レバー部材３０４が時計方向へ回動する。そして、スライドバー４３０が図中左側へ移動する。さらに、スライドバー４３０の左側への移動に伴って、ロックレバー４１０が移動するので、遊星ギアホルダ部４２０は、ロックレバー４１０の規制から解除される。従って、遊星ギアホルダ部４２０には、太陽ギア４２６の回動方向へ回動する力が発生する。このとき、排出用駆動ローラ２０ａは、用紙Ｐを上流側へ移動させることができる逆転方向である図中反時計方向へ回動している。そして、太陽ギア４２６は、排出用駆動ローラ２０ａと同じ方向へ回動するように設けられている。従って、遊星ギアホルダ部４２０は、太陽ギア４２６の回動支点軸４２５を支点に反時計方向へ回動して、第２遊星ギア４２４が第１ギア２１１と当接する。即ち、太陽ギア４２６の動力が、第２遊星ギア４２４を介して第１ギア２１１へ伝達される。このとき、第２遊星ギア４２４は時計方向へ回動しながら第１ギア２１１と当接するので、第１ギア２１１は反時計方向へ回動する。
【００６０】
排出スタッカ昇降装置２００の動力伝達手段２１０は、第１ギア２１１、第１ギア２１１と外接する第２ギア２１２、第２ギア２１２と外接する第３ギア２１３、第３ギア２１３と一体に設けられた第４ギア２１４、第４ギア２１４と外接する第５ギア２１５、第５ギア２１５と外接する第６ギア２１６、第６ギア２１６と一体に設けられた第７ギア２１７、第７ギア２１７と外接する第８ギア２１８、第８ギア２１８と一体に設けられたピニオン２１９、およびピニオン２１９の動力を受けるラック２２７を備えている。
【００６１】
尚、第５ギア２１５、第６ギア２１６、第７ギア２１７、第８ギア２１８、ピニオン２１９およびラック２２７は、搬送方向（Ｙ）に対して幅方向、即ち、主走査方向左右両側に一対設けられている。そして、左右一対の第５ギア２１５は、動力伝達シャフト２７０によって同期回転するように設けられている。従って、それぞれ一対に設けられた第６ギア２１６、第７ギア２１７、第８ギア２１８、ピニオン２１９およびラック２２７は同期回転することができる。左右両側において同期回転するので、以下の説明では、片側のみについて説明するとして他方の説明は省略する。
【００６２】
第１ギア２１１が反時計方向へ回動すると、動力が第２ギア２１２へ伝達され第２ギア２１２は時計方向へ回動する。そして、第２ギア２１２の動力が第３ギア２１３へ伝達され、第３ギア２１３は反時計方向へ回動する。第４ギア２１４は、第３ギア２１３と一体に設けられているので、第３ギア２１３と一体に反時計方向へ回動する。第４ギア２１４の動力が第５ギア２１５へ伝達され、第５ギア２１５は時計方向へ回動する。第５ギア２１５の動力が第６ギア２１６へ伝達され、第６ギア２１６は反時計方向へ回動する。第７ギア２１７は、第６ギア２１６と一体に設けられているので、第６ギア２１６と一体に反時計方向へ回動する。第７ギア２１７の動力が第８ギア２１８へ伝達され、第８ギア２１８は時計方向へ回動する。ピニオン２１９は第８ギア２１８と一体に設けられているので、第８ギア２１８と一体に時計方向へ回動する。
【００６３】
ピニオン２１９が時計方向へ回動すると、第１排出スタッカ側に設けられたラック２２７を介して、ピニオン２１９は、第１排出スタッカ５００を第１の位置から第２の位置へ移動させるように設けられている。そして、第１排出スタッカ５００が第２の位置まで移動し終わると、弧部３０１ａとレバー当接部３０３とが当接する範囲まで、カム軸３０２が反時計方向へ回動して、レバー部材３０４を図７に示す状態まで反時計方向へ回動させる。このとき、カム軸３０２は、ＰＧがＣＤ−Ｒ記録モードになるように回動する。
【００６４】
［ＣＤ−Ｒ記録モードから用紙記録モードへの切り替え］
一方、ＣＤ−Ｒ記録モードから用紙記録モードへ切り替える際、図７に示す状態からカム軸３０２が時計方向へ回動して、レバー部材３０４を図９に示す位置まで時計方向へ回動させる。そして、前述したように、遊星ギアホルダ部４２０をロックレバー４１０の規制から解除する。  
このとき、図９に示す如く、排出用駆動ローラ２０ａは、用紙Ｐを下流側へ移動させることができる正転方向である図中時計方向へ回動している。従って、前述したように太陽ギア４２６も排出用駆動ローラ２０ａと同じ方向である時計方向へ回動する。そして、前述したように太陽ギア４２６は、遊星ギアホルダ部４２０を時計方向へ回動させる。
【００６５】
遊星ギアホルダ部４２０が時計方向へ回動して、第１遊星ギア４２３が、第１ギア２１１と外接する。従って、太陽ギア４２６の動力が第１遊星ギア４２３を介して第１ギア２１１へ伝達される。このとき、太陽ギア４２６は時計方向へ回動するので、第１遊星ギア４２３は反時計方向へ回動し、第１ギア２１１は時計方向へ回動する。第１ギア２１１の回動に伴って、動力伝達方向上流側から下流側へ向かって、第２ギア２１２は反時計方向、第３ギア２１３および第４ギア２１４は時計方向、第５ギア２１５は反時計方向、第６ギア２１６および第７ギア２１７は時計方向、第８ギア２１８およびピニオン２１９は反時計方向へ回動する。
【００６６】
ピニオン２１９が反時計方向へ回動すると、第１排出スタッカ側に設けられたラック２２７を介して、ピニオン２１９は、第１排出スタッカ５００を後述する第２の位置から第１の位置へ移動させるように設けられている。そして、第１排出スタッカ５００が第１の位置まで移動し終わると、弧部３０１ａとレバー当接部３０３とが当接する範囲まで、カム軸３０２が反時計方向へ回動して、レバー部材３０４を図７に示す状態まで反時計方向へ回動させる。このとき、カム軸３０２は、ＰＧが用紙記録モードになるように回動する。
【００６７】
［本実施形態］  
［第１排出スタッカの第１の位置から第２の位置への移動］  
続いて、第１排出スタッカ５００の第１の位置から第２の位置への移動について説明する。  
ここで、第１の位置とは、用紙記録モードにおいて、記録されて排出用駆動ローラ２０ａによって排出された用紙Ｐを受け止めることができる位置であって、用紙Ｐを載置するため、排出用駆動ローラ２０ａより下方の位置をいう。  
一方、第２の位置とは、ＣＤ−Ｒ記録モードにおいて、記録前のＣＤ−Ｒを保持したＣＤ−ＲトレイＱを排出用駆動ローラ２０ａおよび第２排出用従動ローラ５０３、５０３からなる排出用ローラ対へ案内し、かつ、排出用駆動ローラ２０ａおよび第２排出用従動ローラ５０３、５０３からなる排出用ローラ対によって排出された記録後のＣＤ−Ｒを保持したＣＤ−ＲトレイＱを受け止めることができる位置であって、第１排出スタッカ５００のＣＤ−Ｒトレイ案内面５２３が、排出用駆動ローラ２０ａの上端と略同じ高さとなる位置をいう。
【００６８】
図１０〜図２２に示すのは、本発明に係る排出スタッカ昇降装置の第１排出スタッカの移動を示す側面図である。このうち、図１０は第１排出スタッカの第１の位置であり、図１１〜図２１は第１の位置から第２の位置への移動中であり、図２２は第２の位置である。  
図１０に示す如く、排出スタッカ昇降装置２００は、第１の位置と第２の位置との間を移動する第１排出スタッカ５００、第１排出スタッカ５００の搬送方向下流側に配設された第２排出スタッカ６００、基体部側に設けられた排出用駆動ローラ２０ａ、排出用駆動ローラ２０ａと協働して用紙Ｐを排出方向へ排出する第１排出用従動ローラ２０ｂ、２０ｂ、……を備えた排出フレーム部８００、排出フレーム部８００と第１排出スタッカ５００とを連結する連結アーム部７００、および排出用駆動ローラ２０ａの動力を第１排出スタッカ５００へ伝達する動力伝達手段２１０を備えている。
【００６９】
基体部２２０の搬送方向向かって右側、即ち、主走査方向８０桁側には、第１排出スタッカ５００の移動を案内する第１溝部２２１が設けられている。また、基体部２２０の主走査方向１桁側には、第１排出スタッカ５００の移動を案内する第２溝部２２２が設けられている。さらに、基体部２２０の主走査方向両側には、排出フレーム部８００の移動を案内する一対の第４溝部２２４、２２４および第５溝部２２５、２２５が設けられている。また、基体部２２０の主走査方向１桁側の上方には、移動中の第１排出スタッカ５００の姿勢を規制する姿勢規制部２２８が設けられている。
【００７０】
第１排出スタッカ５００は、第１の位置において上面に排出された用紙Ｐが載置される第１載置部５１０と、第１載置部内部であって第２の位置において記録前にＣＤ−ＲトレイＱを排出用駆動ローラ２０ａおよび第２排出用従動ローラ５０３、５０３からなる排出用ローラ対へ案内し、記録後にＣＤ−ＲトレイＱを受け止めるＣＤ−Ｒトレイ案内開口部５２２と、基体部２２０の第１溝部２２１に係合・案内される第１突部５０１と、基体部２２０の第２溝部２２２に係合・案内される第２突部５０４と、第１載置部５１０より搬送方向上流側に設けられ、図示しないばねによって付勢されながら揺動軸５０２を支点に揺動し、排出用駆動ローラ２０ａと協働してＣＤ−ＲトレイＱを搬送方向（Ｙ）へ移動する第２排出用従動ローラ５０３、５０３と、基体部２２０の姿勢規制部２２８と当接する当接面５２０および当接突部５２１とを備えている。  
また、第１排出スタッカ５００は、主走査方向両側に一対設けられた第６溝部２２６、２２６と、主走査方向両側に連結アーム部７００と係合する一対の第３溝部２２３、２２３とを備えている。そして、一対の第６溝部２２６、２２６の一面にはラック２２７、２２７が設けられ、前述した一対のピニオン２１９、２１９と噛み合うように構成されている。
【００７１】
第２排出スタッカ６００は、カバー軸６０１を支点に回動し、第１の位置の第１排出スタッカ５００と協働して排出された用紙Ｐを載置する第２載置部６１０を備えている。第２排出スタッカ６００は、記録を実行しない状態では、カバー軸６０１を支点に回動し載置開口部２６０を閉じるように設けられている。言い換えると、第２排出スタッカ６００は、カバーケースを兼ねるように設けられている。第２排出スタッカ６００が開いた状態では、基体部２２０に設けられたカバー規制部２５０によって、第２排出スタッカ６００の姿勢が規制されるように構成されている。
【００７２】
排出フレーム部８００は、基体部２２０の一対の第４溝部２２４、２２４に係合・案内される一対の第４突部８０１、８０１と、基体部２２０の一対の第５溝部２２５、２２５に係合・案内される一対の第５突部８０２、８０２と、図示しないばねに付勢されながら基体部側の排出用駆動ローラ２０ａと外接する第１排出用従動ローラ２０ｂ、２０ｂ、……とを備えている。また、排出フレーム部８００は、基体部２２０に設けられた付勢手段８０５としての図示しないねじりコイルばねの付勢力Ｆによって、常に搬送方向上流側へ付勢されている。即ち、図示しないねじりコイルばねは、第１排出用従動ローラ２０ｂ、２０ｂ、……が排出用駆動ローラ２０ａと外接・協働するときにとる排出フレーム部８００の位置へ向かって、排出フレーム部８００を付勢している。  
連結アーム部７００は、一端に第１排出スタッカ５００の一対の第３溝部２２３、２２３に係合・案内される一対の第３突部７０１、７０１を備え、他端は排出フレーム部８００における第４突部８０１が設けられた搬送方向下流側と回動自在に連結するように設けられている。
【００７３】
第１の位置では、第１排出スタッカ５００の搬送方向下流端の位置が、第２排出スタッカ６００の搬送方向上流端の位置より、高くなるように設けられている。従って、用紙記録モードにおいて、排出用ローラから排出された用紙Ｐの先端部が、第１排出スタッカ５００の第１載置部５１０と第２排出スタッカ６００の第２載置部６１０との段差に引っ掛かる虞がない。
【００７４】
尚、第１の位置が、所謂、第１排出スタッカ５００のホームポジションであり、基体部２２０にもうけられたホームポジション検出器２３０が第１排出スタッカ５００と当接して検出するように構成されている。そして、第１排出スタッカ５００が第１の位置から第２の位置へ移動する際の第１モータ９０１の駆動量は、第１排出スタッカ５００がホームポジション検出器２３０から離間してから所定のステップ数で停止するように制御されている。一方、第１排出スタッカ５００が第２の位置から第１の位置へ移動する際の第１モータ９０１の駆動量は、第１排出スタッカ５００がホームポジション検出器２３０と当接して停止するように制御されている。  
また、以下の説明において、主走査方向に一対設けられた第３突部、第４突部、第５突部、第３溝部、第４溝部および第５溝部については、左右同じ形状であり同期するので、片側のみについて説明するとして、他方側の説明は省略する。
【００７５】
図１１に示す如く、図１０に示す状態からピニオン２１９が時計方向へ回動すると、第１排出スタッカ５００のラック２２７に動力が伝達される。このとき、ピニオン２１９の位置は基体部側に固定されているので、ピニオン２１９は、ラック２２７が設けられた第６溝部２２６を下方へ進むようにして、第１排出スタッカ５００を上方へ移動させようとする。即ち、第１排出スタッカ５００には、上方へ移動しようとする力が作用する。そして、第１排出スタッカ５００は、搬送方向上流側の第１突部５０１を支点に、搬送方向下流端が上昇するように傾く。このとき、第１排出スタッカ５００の第２突部５０４は、基体部２２０の第２溝部内を僅かに上方へ移動する。  
また、第１排出スタッカ５００の下流端が上昇すると、ホームポジション検出器２３０から離間するので、第１モータ９０１のステップ数のカウントが開始される。
【００７６】
図１２に示す如く、図１１に示す状態からさらにピニオン２１９が時計方向へ回動すると、ピニオン２１９は、ラック２２７を介して、さらに第１排出スタッカ５００を上方へ移動させようとする。従って、第１排出スタッカ５００は、第１突部５０１を支点に、搬送方向下流端がさらに上昇するように傾く。そして、第１排出スタッカ５００の搬送方向下流端の下端が、第２排出スタッカ６００の搬送方向上流端の上端より高い位置となる。
【００７７】
図１３に示す如く、図１２に示す状態からさらにピニオン２１９が時計方向へ回動すると、ピニオン２１９は、第６溝部２２６に沿って搬送方向上流側へ移動しようとする。即ち、ピニオン２１９は、ラック２２７を介して、第１排出スタッカ５００を搬送方向下流側へ移動させようとする。従って、第１排出スタッカ５００は、第１突部５０１と第１溝部２２１との係合によって案内されると共に、第２突部５０４と第２溝部２２２、およびピニオン２１９とラック２２７との係合によって案内されながら、搬送方向下流側へ移動する。このとき、第１排出スタッカ５００の傾き、即ち、姿勢は、第１突部５０１と第１溝部２２１との係合、第２突部５０４と第２溝部２２２、およびピニオン２１９とラック２２７との係合によって規制されるので、下流端が上昇した姿勢のままである。従って、第１排出スタッカ５００は、第１排出スタッカ５００の搬送方向下流端の位置が第２排出スタッカ６００の上流端の上方となるように、搬送方向下流側へ移動することができる。
【００７８】
図１４に示す如く、図１３に示す状態からさらにピニオン２１９が時計方向へ回動すると、ピニオン２１９は、ラック２２７を介して、さらに第１排出スタッカ５００を搬送方向下流側へ移動させようとする。従って、第１排出スタッカ５００は、第１突部５０１と第１溝部２２１との係合によって案内されると共に、第２突部５０４と第２溝部２２２、およびピニオン２１９とラック２２７との係合によって案内されながら、さらに搬送方向下流側へ移動する。このとき、連結アーム部７００の第３突部７０１は、第１排出スタッカ５００の第３溝部２２３を搬送方向上流側へ移動して、第３溝部２２３の上流端と度当たる。
【００７９】
図１５に示す如く、図１４に示す状態からさらにピニオン２１９が時計方向へ回動すると、第１排出スタッカ５００は、さらに搬送方向下流側へ移動する。このとき、連結アーム部７００の第３突部７０１が、第１排出スタッカ５００の第３溝部２２３の搬送方向上流端と度当たっているので、第１排出スタッカ５００は、連結アーム部７００を介して、前述したねじりコイルばねの付勢力Ｆに抗して排出フレーム部８００を搬送方向下流側へ移動させる。  
このとき、排出フレーム部８００は、第４突部８０１と第４溝部２２４との係合、および第５突部８０２と第５溝部２２５との係合によって案内され搬送方向下流側、かつ、上方へ移動する。そして、排出フレーム部８００の移動に伴って、排出フレーム部８００に設けられた第１排出用従動ローラ２０ｂ、２０ｂ、……は、排出用駆動ローラ２０ａから離間する。  
尚、排出フレーム部８００の移動に伴って、排出用補助従動ローラ２２、２２、……（図３参照）も第１排出用従動ローラ２０ｂ、２０ｂ、……と同じ方向へ移動するように構成されている。
【００８０】
さらに、前述したねじりコイルばねの付勢力Ｆによって、連結アーム部７００の第３突部７０１が第１排出スタッカ５００の第３溝部２２３の上流端を上流側へ引っ張るように力が作用する。従って、第１排出スタッカ５００には、ラック２２７におけるピニオン２１９と噛み合っている箇所を支点として反時計方向へ回動しようとする力が発生する。そして、該反時計方向へ回動しようとする力によって、該支点を基準に第３突部７０１と反対側に位置する第１突部５０１および第２突部５０４が、それぞれ第１溝部２２１および第２溝部２２２の下側面に押圧される。従って、移動中において、第１排出スタッカ５００の姿勢を、より一層安定させることができる。
【００８１】
図１６に示す如く、図１５に示す状態からさらにピニオン２１９が時計方向へ回動すると、第１排出スタッカ５００は、さらに搬送方向下流側へ移動する。そして、第１排出スタッカ５００が搬送方向下流側へ移動すると共に、第１排出スタッカ５００は、前述したねじりコイルばねの付勢力Ｆに抗して、連結アーム部７００を介して排出フレーム部８００を、さらに搬送方向下流側へ移動させる。
【００８２】
図１７に示す如く、図１６に示す状態からさらにピニオン２１９が時計方向へ回動すると、ピニオン２１９は、第６溝部２２６に沿って下方へ移動しようとする。即ち、ピニオン２１９は、ラック２２７を介して、第１排出スタッカ５００を上方へ移動させようとする。このとき、前述したねじりコイルばねの付勢力Ｆによって、第１排出スタッカ５００には、ラック２２７におけるピニオン２１９と噛み合っている箇所を支点として反時計方向へ回動しようとする力が発生している。従って、ピニオン２１９が時計方向へ回動すると、第１排出スタッカ５００は、第１突部５０１を支点に第１排出スタッカ５００の下流端がさらに上昇するように傾く。そして、第１排出スタッカ５００の搬送方向下流側の上方に設けられた当接面５２０が、基体部２２０の姿勢規制部２２８と当接する。
【００８３】
当接面５２０が姿勢規制部２２８と当接した状態では、前述したねじりコイルばねの付勢力Ｆが作用する箇所である第３突部７０１と第３溝部２２３とが当接する箇所が、ラック２２７におけるピニオン２１９と噛み合っている箇所と、当接面５２０における姿勢規制部２２８と当接している箇所との間に位置する。従って、前述したねじりコイルばねの付勢力Ｆによって、第１排出スタッカ５００がラック２２７におけるピニオン２１９と噛み合っている箇所を支点として反時計方向へ回動するのを、姿勢規制部２２８が、当接面５２０と当接することによって規制することができる。
【００８４】
さらにピニオン２１９が時計方向へ回動すると、第１排出スタッカ５００の搬送方向下流側が姿勢規制部２２８によって上方への移動が規制されるので、第１排出スタッカ５００は、搬送方向下流側を支点に上流側を上方へ持ち上げるように移動する。このとき、当接面５２０が姿勢規制部２２８と当接すると同時に、第１排出スタッカ５００がラック２２７におけるピニオン２１９と噛み合っている箇所を支点として反時計方向へ回動することが規制されるので、第１突部５０１および第２突部５０４がそれぞれ第１溝部２２１および第２溝部２２２の下側面に押圧される状態から解放される。従って、ピニオン２１９が時計方向へ回動すると共に、第１突部５０１および第２突部５０４は、それぞれ第１溝部２２１および第２溝部２２２に沿って上方へ移動する。  
また、第１排出スタッカ５００の移動に伴って、排出フレーム部８００は搬送方向下流側へ移動する。
【００８５】
図１８に示す如く、図１７に示す状態からさらにピニオン２１９が時計方向へ回動すると、ピニオン２１９は、ラック２２７を介して、さらに第１排出スタッカ５００を上方へ移動させようとする。従って、第１排出スタッカ５００は、搬送方向下流側を支点に、搬送方向上流端がさらに上昇するように移動する。即ち、第１排出スタッカ５００のＣＤ−Ｒトレイ案内面５２３の搬送方向（Ｙ）に対する傾きが、小さくなるように移動する。このとき、第２突部５０４および第２溝部２２２は、前述したねじりコイルばねの付勢力Ｆによって、ピニオン２１９からラック２２７が離間しようとするのを防止するために、前述したねじりコイルばねの付勢力Ｆが第１排出スタッカ５００に作用する間、常に、ピニオン２１９を基準にラック２２７と反対側に第２突部５０４が位置するように設けられている。  
また、第１排出スタッカ５００の移動に伴って、排出フレーム部８００は搬送方向下流側へ移動する。
【００８６】
図１９に示す如く、図１８に示す状態からさらにピニオン２１９が時計方向へ回動すると、第１排出スタッカ５００は、搬送方向下流側を支点に、搬送方向上流端がさらに上昇するように移動する。このとき、基体部２２０の姿勢規制部２２８は、第１排出スタッカ５００の当接面５２０に設けられた当接突部５２１と当接する。当接突部５２１は、第１排出スタッカ５００を移動させて第１排出スタッカ５００のＣＤ−Ｒトレイ案内面５２３の姿勢を搬送方向（Ｙ）に対して平行にする際、常に、姿勢規制部２２８と第１排出スタッカ５００とが接触することができるように設けられている。  
また、第１排出スタッカ５００の移動に伴って、排出フレーム部８００は搬送方向下流側へ移動する。
【００８７】
図２０に示す如く、図１９に示す状態からさらにピニオン２１９が時計方向へ回動すると、第１排出スタッカ５００は、搬送方向下流側を支点に、搬送方向上流端がさらに上昇するように移動する。このとき、第１排出スタッカ５００の搬送方向上流側に設けられた第２排出用従動ローラ５０３、５０３は、基体部側の排出用駆動ローラ２０ａの搬送方向下流側近傍の位置まで移動する。  
また、第１排出スタッカ５００の移動に伴って、排出フレーム部８００は搬送方向下流側へ移動する。
【００８８】
図２１に示す如く、図２０に示す状態からさらにピニオン２１９が時計方向へ回動すると、第１排出スタッカ５００は、搬送方向下流側を支点に、搬送方向上流端がさらに上昇するように移動する。このとき、第１排出スタッカ５００の搬送方向上流側に設けられた第２排出用従動ローラ５０３、５０３は、基体部側の排出用駆動ローラ２０ａより高い位置であって、第２排出用従動ローラ５０３、５０３の下部が排出用駆動ローラ２０ａの上部と略同じ高さとなる位置まで移動する。このとき、第１排出スタッカ５００の傾き、即ち、姿勢は、第１排出スタッカ５００のＣＤ−Ｒトレイ案内面５２３が搬送方向（Ｙ）に対して平行となるような姿勢である。  
ここで、「平行」とは、ＣＤ−ＲトレイＱを記録部１１０へ案内することおよび記録されたＣＤ−ＲトレイＱを受け止めることができる程度に、主走査方向Ｘおよび搬送方向（Ｙ）に対して、略平行であることをいう。  
また、第１排出スタッカ５００の移動に伴って、排出フレーム部８００は、前述したねじりコイルばねの付勢力Ｆを受けて、搬送方向上流側へ移動する。
【００８９】
図２２に示す如く、図２１に示す状態からさらにピニオン２１９が時計方向へ回動すると、ピニオン２１９は、第６溝部２２６に沿って搬送方向下流側へ移動しようとする。即ち、ピニオン２１９は、ラック２２７を介して、前述したねじりコイルばねの付勢力Ｆと協働して、第１排出スタッカ５００を搬送方向上流側へ移動させようとする。従って、第１排出スタッカ５００は、第１突部５０１と第１溝部２２１との係合によって案内されると共に、第２突部５０４と第２溝部２２２との係合によって案内されながら、搬送方向上流側へ移動する。即ち、第１排出スタッカ５００の姿勢は、第１突部５０１と第１溝部２２１との係合、および第２突部５０４と第２溝部２２２との係合によって規制されている。従って、ＣＤ−Ｒトレイ案内面５２３が搬送方向（Ｙ）に対して平行となる姿勢のまま、搬送方向上流側へ平行移動する。  
また、第１排出スタッカ５００の移動に伴って、排出フレーム部８００は、前述したねじりコイルばねの付勢力Ｆを受けて、搬送方向上流側へ移動する。
【００９０】
ここで、第１排出スタッカ５００の姿勢は既に得たい姿勢を得ているので、第１排出スタッカ５００の当接突部５２１は、基体部２２０の姿勢規制部２２８から離間する。即ち、第１排出スタッカ５００が平行移動する際は、姿勢規制部２２８が第１排出スタッカ５００に対して何ら作用しないように設けられている。従って、姿勢規制部２２８との間に摩擦抵抗が生じることにより、第１排出スタッカ５００の姿勢が不安定になる虞がない。
【００９１】
また、前述したねじりコイルばねの付勢力Ｆによって、第１排出スタッカ５００がラック２２７におけるピニオン２１９と噛み合っている箇所を支点として、第１排出スタッカ５００が反時計方向へ回動する力が作用するが、第１排出スタッカ５００の第１突部５０１が基体部２２０の第１溝部２２１の下部に押圧されているので、第１排出スタッカ５００は、姿勢を精度良く保持することができる。
【００９２】
そして、第１排出スタッカ５００の第２排出用従動ローラ５０３、５０３の下部が、基体部側の排出用駆動ローラ２０ａの上部と当接する位置で、ピニオン２１９の停止に伴って第１排出スタッカ５００は停止する。図２２に示す第１排出スタッカ５００の停止位置が、ＣＤ−Ｒ記録モード時に第１排出スタッカ５００がとる第２の位置である。このとき、第２排出用従動ローラ５０３、５０３は、図示しないばねの付勢力によって排出用駆動ローラ側へ揺動するように付勢されている。従って、ＣＤ−Ｒ記録モードにおいて、第２排出用従動ローラ５０３、５０３は、排出用駆動ローラ２０ａと協働してＣＤ−ＲトレイＱを挟持し、搬送方向上流および下流へＣＤ−ＲトレイＱを移動させることができる。
【００９３】
尚、ピニオン２１９が停止するタイミングは、前述したように第１排出スタッカ５００がホームポジション検出器２３０から離間したときから、所定のステップ数だけ第１モータ９０１を、排出用駆動ローラ２０ａが逆転する方向へ駆動させた後に停止させるように設けられている。従って、第１排出スタッカ５００の第２の位置を精度良く決めることができる。
【００９４】
以上より、排出スタッカ昇降装置２００は、第２排出スタッカ６００と当接することなく、先に第１排出スタッカ５００の下流側を、排出スタッカ昇降装置２００の上方、かつ、下流側へ引き出すように移動させ、次に第１排出スタッカ５００の上流側を、排出スタッカ昇降装置２００の上方へ引き上げるように移動させることができる。即ち、排出スタッカ昇降装置２００は、第１の位置から第２の位置へ移動する際、第１排出スタッカ５００の第１載置部５１０および第２排出スタッカ６００の第２載置部６１０の上方の空間が、例えば、バーガイド４３１等によって制限を受ける場合であっても、第１排出スタッカ５００を移動させることができる。
【００９５】
［第１排出スタッカの第２の位置から第１の位置への移動］
ＣＤ−Ｒ記録モードから用紙記録モードへ切り替えると、前述したように図７に示す動力伝達切り替え装置４００によって動力伝達が切断された状態から、図９に示す動力伝達が接続された状態となる。このとき、排出用駆動ローラ２０ａが正転駆動、即ち、太陽ギア４２６が時計方向へ回動する。そして、太陽ギア４２６の動力が、動力伝達手段２１０によってピニオン２１９まで伝達される。従って、ピニオン２１９は反時計方向へ回動する。
【００９６】
図２２に示す状態からピニオン２１９が反時計方向へ回動すると、ピニオン２１９は、第６溝部２２６に沿って搬送方向上流側へ移動しようとする。即ち、ピニオン２１９は、ラック２２７を介して、前述したねじりコイルばねの付勢力Ｆに抗して、第１排出スタッカ５００を搬送方向下流側へ移動させようとする。従って、第１排出スタッカ５００は、第１突部５０１と第１溝部２２１との係合によって案内されると共に、第２突部５０４と第２溝部２２２、およびピニオン２１９とラック２２７との係合によって案内されながら、搬送方向下流側へ移動する。このとき、第１排出スタッカ５００は、ＣＤ−Ｒトレイ案内面５２３が搬送方向（Ｙ）に対して平行となる姿勢のまま、搬送方向下流側へ平行移動する。  
また、第１排出スタッカ５００の移動に伴って、排出フレーム部８００は搬送方向下流側へ移動する。
【００９７】
図２１に示す如く、図２２に示す状態からピニオン２１９が反時計方向へ回動すると、第１排出スタッカ５００は、前述したねじりコイルばねの付勢力Ｆに抗して、搬送方向下流側へ移動する。このとき、第１排出スタッカ５００の第２排出用従動ローラ５０３、５０３は、基体部側の排出用駆動ローラ２０ａから離間する。また、第１排出スタッカ５００の当接突部５２１が、離間していた基体部２２０の姿勢規制部２２８と当接する。そして、第１排出スタッカ５００の第１突部５０１が、第１溝部２２１に形状によって第１溝部２２１の下面から離間する。従って、前述したねじりコイルばねの付勢力Ｆによって、第１排出スタッカ５００がラック２２７におけるピニオン２１９と噛み合っている箇所を支点として、第１排出スタッカ５００が反時計方向へ回動する力が作用する。このとき、第１排出スタッカ５００の姿勢は、姿勢規制部２２８が当接突部５２１と当接することによって、規制されている。
【００９８】
図２０に示す如く、図２１に示す状態からさらにピニオン２１９が反時計方向へ回動すると、第１排出スタッカ５００は、搬送方向下流側を支点に、搬送方向上流端が下降するように移動する。このとき、第１排出スタッカ５００の搬送方向上流側に設けられた第２排出用従動ローラ５０３、５０３は、基体部側の排出用駆動ローラ２０ａの搬送方向下流側近傍の位置まで移動する。  
また、第１排出スタッカ５００の移動に伴って、排出フレーム部８００は搬送方向上流側へ移動する。
【００９９】
図１９に示す如く、図２０に示す状態からさらにピニオン２１９が反時計方向へ回動すると、第１排出スタッカ５００は、搬送方向下流側を支点に、搬送方向上流端がさらに下降するように移動する。このとき、第１排出スタッカ５００の第２排出用従動ローラ５０３、５０３の位置は、基体部側の排出用駆動ローラ２０ａの位置より低くなる。  
また、第１排出スタッカ５００の移動に伴って、排出フレーム部８００は搬送方向上流側へ移動する。
【０１００】
図１８に示す如く、図１９に示す状態からさらにピニオン２１９が反時計方向へ回動すると、第１排出スタッカ５００は、搬送方向下流側を支点に、搬送方向上流端がさらに下降するように移動する。このとき、基体部２２０の姿勢規制部２２８は、第１排出スタッカ５００の当接突部５２１から離間し当接面５２０と当接することによって、第１排出スタッカ５００の姿勢を規制している。  
また、第１排出スタッカ５００の移動に伴って、排出フレーム部８００は搬送方向上流側へ移動する。
【０１０１】
図１７に示す如く、図１８に示す状態からさらにピニオン２１９が反時計方向へ回動すると、第１排出スタッカ５００は、搬送方向下流側を支点に、搬送方向上流端がさらに下降するように移動する。また、第１排出スタッカ５００の移動に伴って、排出フレーム部８００は搬送方向上流側へ移動する。
【０１０２】
図１６に示す如く、図１７に示す状態からさらにピニオン２１９が反時計方向へ回動すると、第１排出スタッカ５００は、搬送方向下流側を支点に、搬送方向上流端がさらに下降するように移動する。このとき、第１排出スタッカ５００の搬送方向上流側の第１突部５０１が、基体部２２０の第１溝部２２１の下面と度当たる。そして、ピニオン２１９の回動に伴って、前述したねじりコイルばねの付勢力Ｆによる第１排出スタッカ５００が反時計方向へ回動する力に抗して、第１排出スタッカ５００は、第１突部５０１と第１溝部２２１との当接した箇所を支点に、時計方向へ回動して第１排出スタッカ５００の搬送方向下流側が下降するように移動する。従って、第１排出スタッカ５００の当接面５２０は、基体部２２０の姿勢規制部２２８から離間する。このとき、第１排出スタッカ５００の姿勢は、前述した第１排出スタッカ５００が反時計方向へ回動しようとする力により、第１突部５０１が、基体部２２０の第１溝部２２１の下面と度当たることで規制されている。  
また、第１排出スタッカ５００の移動に伴って、排出フレーム部８００は搬送方向上流側へ移動する。
【０１０３】
図１５に示す如く、図１６に示す状態からさらにピニオン２１９が反時計方向へ回動すると、ピニオン２１９は、第６溝部２２６に沿って搬送方向下流側へ移動しようとする。即ち、ピニオン２１９は、ラック２２７を介して、前述したねじりコイルばねの付勢力Ｆと協働して、第１排出スタッカ５００を搬送方向上流側へ移動させようとする。従って、第１排出スタッカ５００は、第１突部５０１と第１溝部２２１との係合によって案内されると共に、第２突部５０４と第２溝部２２２、およびピニオン２１９とラック２２７との係合によって案内されながら、搬送方向上流側へ移動する。このとき、第１排出スタッカ５００の姿勢は、第１突部５０１と第１溝部２２１との係合、第２突部５０４と第２溝部２２２、およびピニオン２１９とラック２２７との係合によって規制されている。即ち、第１排出スタッカ５００は、搬送方向上流側が下がり、下流側が上がっている姿勢のまま、上流側へ平行移動する。  
また、第１排出スタッカ５００の移動に伴って、排出フレーム部８００は、第４突部８０１と第４溝部２２４との係合、および第５突部８０２と第５溝部２２５との係合によって案内され搬送方向上流側、かつ、下方へ移動する。
【０１０４】
図１４に示す如く、図１５に示す状態からさらにピニオン２１９が反時計方向へ回動すると、第１排出スタッカ５００は、第１突部５０１と第１溝部２２１との係合、第２突部５０４と第２溝部２２２、およびピニオン２１９とラック２２７との係合によって案内されながら、搬送方向上流側が下がり、下流側が上がっている姿勢のまま、上流側へ平行移動する。また、第１排出スタッカ５００の移動に伴って、排出フレーム部８００が移動し、排出フレーム部８００の第１排出用従動ローラ２０ｂ、２０ｂ、……の下部が、基体部側の排出用駆動ローラ２０ａの上部と当接する。このとき、排出フレーム部８００の第４突部８０１および第５突部８０２が、それぞれ基体部２２０の第４溝部２２４および第５溝部２２５の搬送方向上流端に度当たり、排出フレーム部８００が停止する。  
また、第４突部８０１および第５突部８０２が、それぞれ基体部２２０の第４溝部２２４および第５溝部２２５の搬送方向上流端に度当たることによって、前述したねじりコイルばねの付勢力Ｆが、第１排出スタッカ５００まで及ばない。
【０１０５】
図１３に示す如く、図１４に示す状態からさらにピニオン２１９が反時計方向へ回動すると、第１排出スタッカ５００は、搬送方向上流側へ平行移動する。このとき、排出フレーム部８００は、前述したねじりコイルばねの付勢力Ｆによって、停止状態で保持されている。従って、連結アーム部７００の第３突部７０１は、第１排出スタッカ５００の第３溝部２２３の搬送方向上流端から離間して下流側へ移動する。  
ここで、第１排出スタッカ５００は、第１排出スタッカ５００の搬送方向下流端が、第２排出スタッカ６００の上流端より上流側に位置するまで、搬送方向上流側への平行移動するように設けられている。
【０１０６】
図１２に示す如く、図１３に示す状態からさらにピニオン２１９が反時計方向へ回動すると、ピニオン２１９は、第６溝部２２６に沿って上方へ移動しようとする。即ち、ピニオン２１９は、ラック２２７を介して、第１排出スタッカ５００を下方へ移動させようとする。従って、第１排出スタッカ５００は、第１突部５０１を支点に、搬送方向下流端が下降して上流端と下流端との高低差が小さくなるように、時計方向へ回動する。
【０１０７】
図１１に示す如く、図１２に示す状態からさらにピニオン２１９が反時計方向へ回動すると、第１排出スタッカ５００は、第１突部５０１を支点に、搬送方向下流端が下降して上流端と下流端との高低差がさらに小さくなるように、時計方向へ回動する。  
図１０に示す如く、図１１に示す状態からさらにピニオン２１９が反時計方向へ回動すると、第１排出スタッカ５００は、第１突部５０１を支点に、搬送方向下流端が下降して上流端と下流端との高低差がさらに小さくなるように、時計方向へ回動する。このとき、第１排出スタッカ５００が、ホームポジション検出器２３０に当接する。そして、ホームポジション検出器２３０が第１排出スタッカ５００を検出して第１モータ９０１の駆動を停止してピニオン２１９の回動を停止する。従って、第１排出スタッカ５００は、第１の位置に精度良く位置決めされる。
【０１０８】
以上より、排出スタッカ昇降装置２００は、第２排出スタッカ６００と当接することなく、先に第１排出スタッカ５００の上流側を、排出スタッカ昇降装置２００の下方、かつ、上流側へ押し込むように移動させ、次に第１排出スタッカ５００の下流側を、排出スタッカ昇降装置２００の下方へ押し込むように移動させることができる。即ち、排出スタッカ昇降装置２００は、第２の位置から第１の位置へ移動する際、第１排出スタッカ５００の第１載置部５１０および第２排出スタッカ６００の第２載置部６１０の上方の空間が、例えば、バーガイド４３１等によって制限を受ける場合であっても、第１排出スタッカ５００を移動させることができる。
【０１０９】
また、第１排出スタッカ５００が第２の位置から第１の位置へ移動する際、排出用駆動ローラ２０ａは正転駆動する。正転駆動とは、図１０〜図２２中、時計方向への回動をいう。従って、ＣＤ−ＲトレイＱが排出用駆動ローラ２０ａおよび第２排出用従動ローラ５０３、５０３に挟持された状態、即ち、記録後に正常に排出されなかった場合であっても、排出用駆動ローラ２０ａおよび第２排出用従動ローラ５０３、５０３が協働してＣＤ−ＲトレイＱを搬送方向下流側へ移動することができる。そして、ＣＤ−ＲトレイＱが、排出用駆動ローラ２０ａおよび第２排出用従動ローラ５０３、５０３にニップされていない状態となる。その結果、ＣＤ−ＲトレイＱが排出用駆動ローラ２０ａおよび第２排出用従動ローラ５０３、５０３にニップされた状態で、第１排出スタッカ５００が第１の位置へ移動することによって、ＣＤ−ＲトレイＱが破損される虞がない。さらに、第１排出スタッカ５００が第２の位置から第１の位置へ移動する際、排出用駆動ローラ２０ａおよび第２排出用従動ローラ５０３、５０３が、ＣＤ−ＲトレイＱを巻き込む虞がない。ユーザが、ＣＤ−ＲトレイＱを、第１排出スタッカ５００のＣＤ−Ｒトレイ案内開口部内に放置してしまった場合に有効である。
【０１１０】
さらに、排出用スタッカ５０全体でなく、第１排出スタッカ５００のみを移動させるので、排出用スタッカ５０全体を移動させた場合と比較して、移動させる部材の重量が軽い。従って、その分だけ動力源を小型化することができる。
【０１１１】
［第２排出スタッカの開閉について］
図２３〜図２５に示すのは、本発明に係る第２排出スタッカの開閉を示す側面図である。このうち、図２３は第２排出スタッカが閉まっている状態であり、図２４は開く途中の状態であり、図２５は開いた状態である。
【０１１２】
図２３に示す如く、電源がオフ状態では、第１排出スタッカ５００は、第１の位置に位置するように設けられ、第２排出スタッカ６００は、載置開口部２６０を閉じた状態である。第２排出スタッカ６００は、ばね力を伴うロックレバー（図示せず）によって、閉じた状態を保持することができるように構成されている。そして、電源をオンに切り替えてＣＤ−Ｒ記録モードが選択されると、前述したように第１排出スタッカ５００が、第１の位置から第２の位置へ移動する。
【０１１３】
図２４に示す如く、第１排出スタッカ５００が第１の位置から第２の位置へ移動する際、第１排出スタッカ５００は、上方へ移動した後に搬送方向下流側へ移動する。このとき、第１排出スタッカ５００の搬送方向下流端が、第２排出スタッカ６００のカバー軸６０１より先端側の第２載置部６１０と当接・押圧する。従って、第２排出スタッカ６００は、カバー軸６０１を支点に図中時計方向へ回動する。
【０１１４】
図２５に示す如く、第２排出スタッカ６００が、第１排出スタッカ５００に押されてある程度時計方向へ回動すると、第２排出スタッカ６００は、自重および自重に抗する図示しないダンパによってゆっくり回動し続ける。そして、第２排出スタッカ６００は、基体部２２０のカバー規制部２５０と当接して停止する。即ち、ＣＤ−Ｒ記録モードが選択されると、第２排出スタッカ６００は、閉まった状態であっても自動的に開いた状態となる。  
以上より、ＣＤ−Ｒ記録モードが選択された場合、ユーザは、ＣＤ−ＲトレイＱを第１排出スタッカ５００のＣＤ−Ｒトレイ案内開口部５２２にセットするために、閉まった状態の第２排出スタッカ６００を手動で開ける必要がない。  
尚、ユーザが、手動で第２排出スタッカを開閉することができるのは勿論である。
【０１１５】
［ＣＤ−Ｒ記録モード］
図２６に示すのは、本発明に係る第１排出スタッカの第２の位置を示す概略側面図である。また、図２６は図６に示す状態の概略側面図でもある。  
図２６に示す如く、第１排出スタッカ５００が第２の位置にあるとき、ＣＤ−ＲトレイＱを、ＣＤ−Ｒトレイ案内開口部５２２からＣＤ−Ｒトレイ案内面５２３に沿って挿入する。そして、図６に示すセット位置にセットすると、図２６に示すように、ＣＤ−ＲトレイＱの搬送方向上流端が、排出用駆動ローラ２０ａおよび第２排出用従動ローラ５０３、５０３によって挟持された状態となる。
【０１１６】
その後、排出用駆動ローラ２０ａの逆転駆動によって、搬送方向上流側へ送られる。そして、ＣＤ−ＲトレイＱに取り付けられたＣＤ−Ｒの搬送方向下流端が、記録ヘッド１３と対向する位置、所謂、記録開始ポジションで停止する。その後、排出用駆動ローラ２０ａを正転駆動させて、ＣＤ−ＲトレイＱを搬送方向下流側へ移動させながら記録ヘッド１３を主走査方向Ｘへ走査させＣＤ−Ｒのラベルに対して記録を実行する。そして、記録が終了すると、排出用駆動ローラ２０ａおよび第２排出用従動ローラ５０３、５０３が協働して、ＣＤ−ＲトレイＱを搬送方向下流側へ排出する。このとき、ＣＤ−ＲトレイＱの搬送方向上流端が、排出用駆動ローラ２０ａおよび第２排出用従動ローラ５０３、５０３のニップから外れるので、ＣＤ−ＲトレイＱは、図６に示す如くＣＤ−Ｒトレイ案内開口部５２２からＣＤ−ＲトレイＱの一部が突出した位置よりもさらに突出した位置で停止する。  
尚、ＣＤ−Ｒトレイに換えて用紙を第１排出スタッカのＣＤ−Ｒトレイ案内開口部のＣＤ−Ｒトレイ案内面に所謂、手差しセットしてもよいのは勿論である。
【０１１７】
本実施形態の排出スタッカ昇降装置２００は、液体噴射部の一例である記録部１１０に設けられた記録ヘッド１３からインクを吐出して第１の媒体としての非剛性媒体である用紙Ｐおよび第２の媒体としての剛性媒体であるＣＤ−Ｒを取り付けたＣＤ−ＲトレイＱへ記録する記録装置１００において記録された用紙Ｐを載置する第１の位置、および用紙Ｐと前記ＣＤ−ＲトレイＱとを記録部１１０へ案内し、かつ、記録された用紙Ｐと前記ＣＤ−ＲトレイＱとを受け止める第２の位置へ、記録装置１００に設けられた動力発生部としての第１モータ９０１によって移動する排出スタッカとしての第１排出スタッカ５００を備えた排出スタッカ昇降装置２００であって、排出スタッカ昇降装置２００の基体部側に設けられ、用紙Ｐおよび前記ＣＤ−ＲトレイＱを搬送方向（Ｙ）へ移動させる排出用駆動ローラ２０ａと、排出用駆動ローラ２０ａと協働して用紙Ｐを挟持する第１排出用従動ローラ２０ｂを回動自在に保持し、第１排出用従動ローラ２０ｂが排出用駆動ローラ２０ａに対して接離移動する方向へ移動可能な排出フレーム部８００と、排出フレーム部８００を、第１排出用従動ローラ２０ｂと排出用駆動ローラ２０ａとが協働する位置側へ付勢する付勢手段８０５としての前記図示しないねじりコイルばねとを備え、排出フレーム部８００は、第１排出スタッカ５００と連結され、第１排出スタッカ５００が前記第１の位置から前記第２の位置へ移動するのに伴って、付勢手段８０５としての前記図示しないねじりコイルばねの付勢力Ｆに抗して第１排出用従動ローラ２０ｂが排出用駆動ローラ２０ａから離間する方向へ移動するように構成されていることを特徴とする。  
ここで、付勢手段８０５は、ねじりコイルばねに限らないのは勿論である。
【０１１８】
また、本実施形態の第１排出スタッカ５００は、前記第１の位置から前記第２の位置へ移動する際、記録時の搬送方向下流側へ移動し、その後、主走査方向Ｘおよび搬送方向（Ｙ）に対して直交する方向へ移動し、第１排出スタッカ５００に設けられ、用紙Ｐと前記ＣＤ−ＲトレイＱとを案内する媒体案内面としてのＣＤ−Ｒトレイ案内面５２３の姿勢が、主走査方向Ｘおよび搬送方向（Ｙ）に対して、平行になるように構成されている排出スタッカ昇降装置２００であって、第１排出スタッカ５００は、前記第１の位置と前記第２の位置との間を移動する際、第１排出スタッカ５００は、第１排出スタッカ５００に設けられた突部である第１突部５０１および第２突部５０４と、排出スタッカ昇降装置２００の基体部側に設けられた溝部である第１溝部２２１および第２溝部２２２との係合によって案内されると共に、付勢手段８０５としての前記図示しないねじりコイルばねによって付勢されるように構成されていることを特徴とする。
【０１１９】
またさらに、本実施形態の排出スタッカ昇降装置２００は、第１排出スタッカ側に設けられたラック２２７と、排出スタッカ昇降装置２００の基体部側に設けられ、ラック２２７へ動力を伝達するピニオン２１９とを備え、第１排出スタッカ５００は、ラック２２７およびピニオン２１９によって、ラック２２７に沿って主走査方向Ｘかつ搬送方向（Ｙ）に対して直交する方向、および搬送方向（Ｙ）へ移動するように構成されていることを特徴とする。
【０１２０】
本実施形態において、排出スタッカ昇降装置２００の基体部側に第１排出スタッカ５００と当接可能な姿勢規制部２２８が設けられ、第１排出スタッカ５００は、前記第１の位置から前記第２の位置へ移動する際、付勢手段８０５としての前記図示しないねじりコイルばねによって付勢されながら姿勢規制部２２８と当接し、第１排出スタッカ５００のＣＤ−Ｒトレイ案内面５２３の姿勢が前記平行に規制されるように構成されていることを特徴とする。
【０１２１】
また、本実施形態において、第１排出スタッカ５００は、第２排出用従動ローラ５０３を備え、前記第１の位置から前記第２の位置へ移動する際、主走査方向Ｘおよび搬送方向（Ｙ）に対して直交する方向へ移動してＣＤ−Ｒトレイ案内面５２３の姿勢が前記平行になった後に、付勢手段８０５としての前記図示しないねじりコイルばねの付勢力Ｆを受けながら、排出用駆動ローラ２０ａと第２排出用従動ローラ５０３とを協働させるために、搬送方向上流側へ移動するように構成されていることを特徴とする。
【０１２２】
本実施形態の液体噴射装置の一例である記録装置１００は、記録ヘッド１３により被記録媒体としての用紙ＰおよびＣＤ−Ｒを取り付けたＣＤ−ＲトレイＱに記録を実行する記録部１１０と、記録部１１０から用紙ＰおよびＣＤ−Ｒを取り付けたＣＤ−ＲトレイＱを搬送方向下流側へ排出する排出部１２０とを備えた記録装置１００であって、排出部１２０は、上記の排出スタッカ昇降装置２００を備えていることを特徴とする。
【０１２３】
尚、本実施形態では、第６溝部の一面（図１０〜図２２における上面）にラックを設けて、第１モータの正転・逆転駆動によって第１排出スタッカを移動させたが、第６溝部の上面および下面にラックを設けて、常に第１モータを正転駆動させて第１排出スタッカを第１の位置および第２の位置へ移動させてもよい。即ち、ピニオンを下面側のラックと噛み合わせて、第１排出スタッカを第１の位置から第２の位置へ移動させ、ピニオンを上面側のラックと噛み合わせて、第１排出スタッカを第２の位置から第１の位置へ移動させるように構成してもよい。係る場合、常にＣＤ−Ｒトレイの巻き込みを防止することができる。
【０１２４】
また、本実施形態では、第１の位置と第２の位置との関係を、第１の位置が搬送方向上流側かつ鉛直方向下方、第２の位置が搬送方向下流側かつ鉛直方向上方としたが、該位置関係に限らない。  
またさらに、本実施形態では、ラックおよびピニオンを左右同形状で同期させたが、左右の形状、位置を異としてもよい。係る場合、常に第１排出スタッカの姿勢を規制することができる。  
本発明は上記実施例に限定されることなく、特許請求の範囲に記載した発明の範囲内で、種々の変形が可能であり、それらも本発明の範囲内に含まれるものであることは言うまでもない。
【０１２５】
［他の実施形態］
続いて他の実施形態について説明する。  
他の実施形態に係る排出スタッカ昇降装置１２００と、前述した実施形態の排出スタッカ昇降装置２００との異なる主な点は、他の実施形態に係る排出スタッカ昇降装置１２００が後述するスライダ部５５０を備えて点である。さらに、前述した実施形態の排出スタッカ昇降装置２００では、第１排出スタッカに作用する付勢手段が一つであったが、他の実施形態に係る排出スタッカ昇降装置１２００では、付勢手段が二つ（二種）設けられている点で異なる。
【０１２６】
以下、該異なる点の構成および作用効果について詳しく説明する。  
尚、前述した実施形態と同一および略同一の部材については、前述した実施形態と同じ符号を用いることものとし、その説明は省略する。また、他の実施形態において、前述した実施形態の第２突部５０４および第２溝部２２２は削除されている。  
図２７〜図３７に示すのは、他の実施形態に係る排出スタッカ昇降装置の第１排出スタッカの移動を示す側面図である。このうち、図２７は第１排出スタッカの第１の位置であり、図２８〜図３６は第１の位置から第２の位置への移動中であり、図３７は第２の位置である。
【０１２７】
［他の実施形態に係る第１排出スタッカの第１の位置から第２の位置への移動］  
図２７に示す如く、第１排出スタッカ１５００は、主走査方向両側に一対のスライダ案内溝部５４０、５４０と、スライダ案内溝部５４０、５４０に案内されスライダ案内溝部内を摺動する一対のスライダ部５５０、５５０と、スライダ部５５０、５５０を第１排出スタッカ１５００に対して搬送方向上流側へ付勢する第２付勢手段としての一対の第２のばね９２２、９２２とを備えている。第２のばね９２２、９２２の一端は、スライダ部５５０、５５０に設けられたスライダ側ばね係合部５５１、５５１と係合し、他端は、第１排出スタッカ１５００に設けられた排出スタッカ側ばね係合部５４１と係合している。さらに、一対のスライダ部５５０、５５０には、連結アーム部７００と係合する一対の第３溝部２２３、２２３が設けられている。
【０１２８】
またさらに、第１排出スタッカ１５００は、主走査方向両側に一対設けられた第６溝部２２６、２２６を備えている。そして、一対の第６溝部２２６、２２６の一面にはラック２２７、２２７が設けられ、前述した一対のピニオン２１９、２１９と噛み合うように構成されている。  
また、第１排出スタッカ１５００は、基体部２２０に設けられたポジション検出器２３０と所謂ホームポジションである第１の位置において当接する第１センサ当接部５４３と、第２の位置において当接する第２センサ当接部５４４とを備えている。ポジション検出器２３０は、突起２３１の位置によりＯＮ（上側の位置）−ＯＦＦ（中立位置）−ＯＮ（下側の位置）状態に切り替わるように設けられている。従って、第１の位置では、第１センサ当接部５４３がポジション検出器２３０と当接し突起２３１を下側へ押し下げているのでＯＮ状態となる。
【０１２９】
排出フレーム部８００は、基体部２２０の一対の第４溝部２２４、２２４に係合・案内される一対の第４突部８０１、８０１と、基体部２２０の一対の第５溝部２２５、２２５に係合・案内される一対の第５突部８０２、８０２と、図示しないばねに付勢されながら基体部側の排出用駆動ローラ２０ａと外接する第１排出用従動ローラ２０ｂ、２０ｂ、……とを備えている。また、排出フレーム部８００は、第１付勢手段としての第１のばね９２１によって、常に搬送方向上流側の位置である第１排出スタッカ１５００が第１の位置のときに排出フレーム部８００がとる位置へ付勢されている。第１のばね９２１の一端は、排出フレーム部８００に設けられた排出フレーム側ばね係合部８０３と係合し、他端は、基体部２２０に設けられた基体側ばね係合部２３２と係合している。
【０１３０】
また、第１の位置において、第２のばね９２２、９２２は、第１排出スタッカ１５００においてスライダ部５５０、５５０を搬送方向上流側へ付勢している。このとき、第２のばね９２２、９２２の付勢力Ｆ２は、連結アーム部７００の第３突部７０１、７０１がスライダ部５５０、５５０の第３溝部２２３、２２３の下流側とど当たっているので、連結アーム部７００へ作用する。即ち、第２のばね９２２、９２２の付勢力Ｆ２は、連結アーム部７００を介して排出フレーム部８００へ作用する。従って、排出フレーム部８００は、第４溝部２２４、２２４の上流側と第４突部８０１、８０１とのど当たり、および第５溝部２２５、２２５の上流側と第５突部８０２、８０２とのど当たりによって、精度良く位置決められる。  
一方、第１のばね９２１の付勢力Ｆ１は、排出フレーム部８００に対して殆ど作用していない。
【０１３１】
尚、第１排出スタッカ１５００が第１の位置から第２の位置へ移動する際の第１モータ９０１の駆動量は、第２の位置へ到達したときにど当たってモータ負荷が増加することにより停止、または、第１排出スタッカ１５００に設けられた第１センサ当接部５４３がポジション検出器２３０から離間してから所定のステップ数で停止するように制御部９００によって制御されている。一方、第１排出スタッカ１５００が第２の位置から第１の位置へ移動する際の第１モータ９０１の駆動量は、第１の位置へ到達したときにど当たってモータ負荷が増加することにより停止、または、第１排出スタッカ１５００に設けられた第２センサ当接部５４４がポジション検出器２３０から離間してから所定のステップ数で停止するように制御されている。  
また、以下の説明において、主走査方向に一対設けられた第２のばね、スライダ部、第３突部、第４突部、第５突部、スライダ案内溝部、第３溝部、第４溝部および第５溝部については、左右同じ形状であり同期するので、片側のみについて説明するとして、他方側の説明は省略する。
【０１３２】
図２８に示す如く、図２７に示す状態からピニオン２１９が時計方向へ回動すると、第１排出スタッカ１５００のラック２２７に動力が伝達される。  
このとき、スライダ部５５０は、連結アーム部７００の第３突部７０１に規制されて、第２のばね９２２の付勢力Ｆ２に抗してスライダ案内溝部内を搬送方向下流側へ徐々に移動する。
【０１３３】
図２９に示す如く、図２８に示す状態からさらにピニオン２１９が時計方向へ回動すると、ピニオン２１９は、ラック２２７を介して、さらに第１排出スタッカ１５００を上方へ移動させようとする。従って、第１排出スタッカ１５００は、第１突部５０１を支点に、搬送方向下流端がさらに上昇するように傾く。そして、第１排出スタッカ１５００の搬送方向下流端の下端が、第２排出スタッカ６００の搬送方向上流端の上端より高い位置となる。
【０１３４】
このとき、スライダ部５５０は、連結アーム部７００の第３突部７０１に規制されて、第２のばね９２２の付勢力Ｆ２に抗してスライダ案内溝部内を搬送方向下流側へさらに移動する。そして、スライダ部５５０は、スライダ案内溝部５４０の下流端と当接しない位置で停止する。このとき、第２のばね９２２が最大限に伸びた状態となるので、第２のばね９２２の付勢力Ｆ２は最大値となる。即ち、排出フレーム部８００が、連結アーム部７００を介して、第２のばね９２２の作用を最も強く受けている状態である。  
また、第１排出スタッカ１５００の下流端が上昇すると、第１センサ当接部５４３がポジション検出器２３０から離間しＯＦＦ状態となり、第１モータ９０１のステップ数のカウントが開始される。
【０１３５】
図３０に示す如く、図２９に示す状態からさらにピニオン２１９が時計方向へ回動すると、ピニオン２１９は、第６溝部２２６に沿って搬送方向上流側へ移動しようとする。即ち、ピニオン２１９は、ラック２２７を介して、第１排出スタッカ１５００を搬送方向下流側へ移動させようとする。  
このとき、スライダ部５５０は、第２のばね９２２の付勢力Ｆ２を伴って、スライダ案内溝部内を搬送方向上流側へ移動する。即ち、第２のばね９２２の付勢力Ｆ２は、第１排出スタッカ１５００の搬送方向下流側への移動を補助している。従って、第１モータ９０１の負荷を低減することができる。
【０１３６】
図３１に示す如く、図３０に示す状態からさらにピニオン２１９が時計方向へ回動すると、ピニオン２１９は、ラック２２７を介して、さらに第１排出スタッカ１５００を搬送方向下流側へ移動させようとする。従って、第１排出スタッカ１５００は、第１突部５０１と第１溝部２２１との係合によって案内されると共に、ピニオン２１９とラック２２７との係合によって案内されながら、さらに搬送方向下流側へ移動する。  
このとき、スライダ部５５０は、第２のばね９２２の付勢力Ｆ２を伴って、スライダ案内溝部内を搬送方向上流側へさらに移動する。そして、第２のばね９２２は徐々に縮むので、第２のばね９２２の付勢力Ｆ２も徐々に減少する。即ち、排出フレーム部８００が、連結アーム部７００を介して受ける第２のばね９２２の作用が徐々に減少する。
【０１３７】
図３２に示す如く、図３１に示す状態からさらにピニオン２１９が時計方向へ回動すると、ピニオン２１９は、ラック２２７を介して、さらに第１排出スタッカ１５００を搬送方向下流側へ移動させようとする。従って、第１排出スタッカ１５００は、第１突部５０１と第１溝部２２１との係合によって案内されると共に、ピニオン２１９とラック２２７との係合によって案内されながら、さらに搬送方向下流側へ移動する。
【０１３８】
このとき、スライダ部５５０は、第２のばね９２２の付勢力Ｆ２を伴って、スライダ案内溝部内を搬送方向上流側へさらに移動し、スライダ案内溝部５４０の上流端５４０ａと当接する。その後、第１排出スタッカ１５００の搬送方向下流側への移動に伴って、連結アーム部７００の第３突部７０１は、スライダ部５５０の第３溝部２２３の下流端から離間し、第３溝部２２３を上流側へ徐々に移動する。従って、排出フレーム部８００は、第２のばね９２２の影響を全く受けない状態となる。
【０１３９】
図３３に示す如く、図３２に示す状態からさらにピニオン２１９が時計方向へ回動すると、ピニオン２１９は、ラック２２７を介して、さらに第１排出スタッカ１５００を搬送方向下流側へ移動させようとする。従って、第１排出スタッカ１５００は、第１突部５０１と第１溝部２２１との係合によって案内されると共に、ピニオン２１９とラック２２７との係合によって案内されながら、さらに搬送方向下流側へ移動する。このとき、連結アーム部７００の第３突部７０１は、第１排出スタッカ１５００の第３溝部２２３を搬送方向上流側へ移動して、第３溝部２２３の上流端とど当たる。
【０１４０】
図３４に示す如く、図３３に示す状態からさらにピニオン２１９が時計方向へ回動すると、第１排出スタッカ１５００は、さらに搬送方向下流側へ移動する。このとき、連結アーム部７００の第３突部７０１が、第１排出スタッカ１５００の第３溝部２２３の搬送方向上流端とど当たっているので、第１排出スタッカ１５００は、連結アーム部７００を介して、前述した第１のばね９２１の付勢力Ｆ１に抗して排出フレーム部８００を搬送方向下流側へ移動させる。
【０１４１】
さらに、第１のばね９２１の付勢力Ｆ１によって、連結アーム部７００の第３突部７０１が第１排出スタッカ１５００の第３溝部２２３の上流端を上流側へ引っ張るように力が作用する。従って、第１排出スタッカ１５００には、ラック２２７におけるピニオン２１９と噛み合っている箇所を支点として反時計方向へ回動しようとする力が発生する。そして、該反時計方向へ回動しようとする力によって、該支点を基準に第３突部７０１と反対側に位置する第１突部５０１が、第１溝部２２１の下側面に押圧される。従って、移動中において、第１排出スタッカ１５００の姿勢を、より一層安定させることができる。
【０１４２】
図３５に示す如く、図３４に示す状態からさらにピニオン２１９が時計方向へ回動すると、ピニオン２１９は、第６溝部２２６に沿って下方へ移動しようとする。即ち、ピニオン２１９は、ラック２２７を介して、第１排出スタッカ１５００を上方へ移動させようとする。このとき、第１のばね９２１の付勢力Ｆ１によって、第１排出スタッカ１５００には、ラック２２７におけるピニオン２１９と噛み合っている箇所を支点として反時計方向へ回動しようとする力が発生している。従って、ピニオン２１９が時計方向へ回動すると、第１排出スタッカ１５００は、第１突部５０１を支点に第１排出スタッカ１５００の下流端がさらに上昇するように傾く。そして、第１排出スタッカ１５００の搬送方向下流側の上方に設けられた当接面５２０が、基体部２２０の姿勢規制部２２８と当接する。
【０１４３】
当接面５２０が姿勢規制部２２８と当接した状態では、第１のばね９２１の付勢力Ｆ１が作用する箇所である第３突部７０１と第３溝部２２３とが当接する箇所が、ラック２２７におけるピニオン２１９と噛み合っている箇所と、当接面５２０における姿勢規制部２２８と当接している箇所との間に位置する。従って、第１のばね９２１の付勢力Ｆ１によって、第１排出スタッカ１５００がラック２２７におけるピニオン２１９と噛み合っている箇所を支点として反時計方向へ回動するのを、姿勢規制部２２８が、当接面５２０と当接することによって規制することができる。
【０１４４】
図３６に示す如く、図３５に示す状態からさらにピニオン２１９が時計方向へ回動すると、第１排出スタッカ１５００は、搬送方向下流側を支点に、搬送方向上流端がさらに上昇するように移動する。  
このとき、第２センサ当接部５４４は、ポジション検出器２３０の突起２３１を下方から上方へ押し上げてＯＮ状態にする。
【０１４５】
また、第１排出スタッカ１５００には、第２の位置における第１排出スタッカ１５００の位置を決める二股状の位置規制手段５６０が設けられている。位置規制手段５６０は、第１排出スタッカ１５００に固定された位置規制基部５６２と、回動可能に設けられ、図示しない付勢手段によって二股が閉じる方向へ付勢された位置規制レバー５６１とを備えている。そして、図３６に示す如く、位置規制レバー５６１が排出用駆動ローラ２０ａの軸と当接し、位置規制レバー５６１は、付勢力に抗して二股が開く方向へ回動する。このときの第１排出スタッカ１５００の傾き、即ち、姿勢は、第１排出スタッカ１５００のＣＤ−Ｒトレイ案内面５２３が搬送方向（Ｙ）に対して平行となるような姿勢である。
【０１４６】
ここで、「平行」とは、ＣＤ−ＲトレイＱを記録部１１０へ案内することおよび記録されたＣＤ−ＲトレイＱを受け止めることができる程度に、主走査方向Ｘおよび搬送方向（Ｙ）に対して、略平行であることをいう。  
また、第１排出スタッカ１５００の移動に伴って、排出フレーム部８００は、第１のばね９２１の付勢力Ｆ１を受けて、搬送方向上流側へ移動する。
【０１４７】
図３７に示す如く、図３６に示す状態からさらにピニオン２１９が時計方向へ回動すると、ピニオン２１９は、第６溝部２２６に沿って搬送方向下流側へ移動しようとする。即ち、ピニオン２１９は、ラック２２７を介して、第１のばね９２１の付勢力Ｆ１と協働して、第１排出スタッカ１５００を搬送方向上流側へ移動させようとする。従って、第１排出スタッカ１５００は、第１突部５０１と第１溝部２２１との係合によって案内されながら、搬送方向上流側へ移動する。即ち、第１排出スタッカ１５００の姿勢は、第１突部５０１と第１溝部２２１との係合、およびピニオン２１９とラック２２７との係合によって規制されている。従って、ＣＤ−Ｒトレイ案内面５２３が搬送方向（Ｙ）に対して平行となる姿勢のまま、搬送方向上流側へ平行移動する。
【０１４８】
そして、排出用駆動ローラ２０ａの軸は、位置規制手段５６０の位置規制基部５６２と位置規制レバー５６１とに挟持される。即ち、第１排出スタッカ１５００の位置および姿勢は、位置規制基部５６２と排出用駆動ローラ２０ａの軸との当接により、精度良く決められる。  
また、第２センサ当接部５４４は、ポジション検出器２３０の突起２３１の下側と当接した状態のまま、突起２３１の回動支点側へ接近する。従って、突起２３１を確実に上方へ押し上げてＯＮ状態にすることができる。
【０１４９】
またさらに、第１排出スタッカ１５００の移動に伴って、排出フレーム部８００は、第１のばね９２１の付勢力Ｆ１を受けて、さらに搬送方向上流側へ移動する。
【０１５０】
また、第１のばね９２１の付勢力Ｆ１によって、第１排出スタッカ１５００がラック２２７におけるピニオン２１９と噛み合っている箇所を支点として、第１排出スタッカ１５００が反時計方向へ回動する力が作用するが、第１排出スタッカ１５００の第１突部５０１が基体部２２０の第１溝部２２１の下部に押圧されているので、第１排出スタッカ１５００は、姿勢を精度良く保持することができる。  
そして、第１排出スタッカ１５００の第２排出用従動ローラ５０３、５０３の下部が、基体部側の排出用駆動ローラ２０ａの上部と当接する位置で、第１排出スタッカ１５００が基体部の一部とど当たり、第１モータ９０１がピニオン２１９の駆動を停止する。
【０１５１】
［他の実施形態に係る第１排出スタッカの第２の位置から第１の位置への移動］  
図３７に示す状態からピニオン２１９が反時計方向へ回動すると、ピニオン２１９は、第６溝部２２６に沿って搬送方向上流側へ移動しようとする。即ち、ピニオン２１９は、ラック２２７を介して、第１のばね９２１の付勢力Ｆ１に抗して、第１排出スタッカ１５００を搬送方向下流側へ移動させようとする。従って、第１排出スタッカ１５００は、第１突部５０１と第１溝部２２１との係合によって案内されると共に、ピニオン２１９とラック２２７との係合によって案内されながら、搬送方向下流側へ移動する。このとき、第１排出スタッカ１５００は、ＣＤ−Ｒトレイ案内面５２３が搬送方向（Ｙ）に対して平行となる姿勢のまま、搬送方向下流側へ平行移動する。従って、排出用駆動ローラ２０ａの軸は、位置規制手段５６０の位置規制基部５６２と位置規制レバー５６１との挟持から開放される。即ち、第１排出スタッカ５００は、位置規制手段５６０による姿勢および位置の規制から解除される。  
また、第１排出スタッカ１５００の移動に伴って、排出フレーム部８００は搬送方向下流側へ移動する。
【０１５２】
図３６に示す如く、図３７に示す状態からピニオン２１９が反時計方向へ回動すると、第１排出スタッカ１５００は、第１のばね９２１の付勢力Ｆ１に抗して、搬送方向下流側へ移動する。このとき、第１排出スタッカ１５００の第２排出用従動ローラ５０３、５０３は、基体部側の排出用駆動ローラ２０ａから離間する。また、第１排出スタッカ１５００の当接突部５２１が、離間していた基体部２２０の姿勢規制部２２８と当接する。そして、第１排出スタッカ１５００の第１突部５０１が、第１溝部２２１に形状によって第１溝部２２１の下面から離間する。従って、第１のばね９２１の付勢力Ｆ１によって、第１排出スタッカ１５００がラック２２７におけるピニオン２１９と噛み合っている箇所を支点として、第１排出スタッカ１５００が反時計方向へ回動する力が作用する。このとき、第１排出スタッカ１５００の姿勢は、姿勢規制部２２８が当接突部５２１と当接することによって、規制されている。また、位置規制手段５６０の位置規制レバー５６１は、排出用駆動ローラ２０ａの軸に規制されながら、二股が閉じる方向へ回動する。
【０１５３】
図３５に示す如く、図３６に示す状態からさらにピニオン２１９が反時計方向へ回動すると、第１排出スタッカ１５００は、搬送方向下流側を支点に、搬送方向上流端がさらに下降するように移動する。  
このとき、第２センサ当接部５４４は、ポジション検出器２３０の突起２３１の下側から離間した状態である。従って、突起２３１は、中立状態に戻ることができ、ポジション検出器２３０はＯＦＦ状態となる。
【０１５４】
図３４に示す如く、図３５に示す状態からさらにピニオン２１９が反時計方向へ回動すると、ピニオン２１９は、第６溝部２２６に沿って搬送方向下流側へ移動しようとする。即ち、ピニオン２１９は、ラック２２７を介して、第１のばね９２１の付勢力Ｆ１と協働して、第１排出スタッカ１５００を搬送方向上流側へ移動させようとする。従って、第１排出スタッカ１５００は、第１突部５０１と第１溝部２２１との係合によって案内されると共に、ピニオン２１９とラック２２７との係合によって案内されながら、搬送方向上流側へ移動する。
【０１５５】
図３３に示す如く、図３４に示す状態からさらにピニオン２１９が反時計方向へ回動すると、第１排出スタッカ１５００は、第１突部５０１と第１溝部２２１との係合、およびピニオン２１９とラック２２７との係合によって案内されながら、搬送方向上流側が下がり、下流側が上がっている姿勢のまま、上流側へ平行移動する。また、第１排出スタッカ１５００の移動に伴って、排出フレーム部８００が移動し、排出フレーム部８００の第１排出用従動ローラ２０ｂ、２０ｂ、……の下部が、基体部側の排出用駆動ローラ２０ａの上部と当接する。このとき、排出フレーム部８００の第４突部８０１および第５突部８０２が、それぞれ基体部２２０の第４溝部２２４および第５溝部２２５の搬送方向上流端にど当たり、排出フレーム部８００が停止する。  
また、排出フレーム部８００の位置は、第１排出スタッカ１５００の第１の位置のときに排出フレーム部８００がとる位置であるので、第１のばね９２１の付勢力Ｆ１は、排出フレーム部８００に対して作用していない。従って、第１のばね９２１の付勢力Ｆ１は、第１排出スタッカ１５００に対しても作用しない。
【０１５６】
図３２に示す如く、図３３に示す状態からさらにピニオン２１９が反時計方向へ回動すると、第１排出スタッカ１５００は、搬送方向上流側へ平行移動する。このとき、連結アーム部７００の第３突部７０１は、第１排出スタッカ１５００の第３溝部２２３の搬送方向上流端から離間して下流側へ移動する。  
ここで、第１排出スタッカ１５００は、第１排出スタッカ１５００の搬送方向下流端が、第２排出スタッカ６００の上流端より上流側に位置するまで、搬送方向上流側への平行移動するように設けられている。
【０１５７】
図３１に示す如く、図３２に示す状態からさらにピニオン２１９が反時計方向へ回動すると、第１排出スタッカ１５００は、搬送方向上流側へ平行移動する。このとき、連結アーム部７００の第３突部７０１は、第１排出スタッカ１５００の第３溝部２２３の搬送方向下流側へ移動し、第３溝部２２３の下流端と当接する。その後、第１排出スタッカ１５００が、さらに搬送方向上流側へ平行移動すると、スライダ部５５０は、第３突部７０１の規制を受ける。従って、スライダ部５５０は、第１排出スタッカ１５００に対して、スライダ案内溝部５４０の搬送方向上流端５４０ａから離間し、スライダ案内溝部５４０を搬送方向下流側へ徐々に移動する。
【０１５８】
このとき、第２のばね９２２の長さが徐々に伸びるので、第２のばね９２２の付勢力Ｆ２が徐々に増加する。そして、増加した第２のばね９２２の付勢力Ｆ２が、連結アーム部７００を介して排出フレーム部８００に対して上流側へ向かって作用する。
【０１５９】
図３０に示す如く、図３１に示す状態からさらにピニオン２１９が反時計方向へ回動すると、第１排出スタッカ１５００は、さらに搬送方向上流側へ平行移動する。  
このとき、スライダ部５５０は第３突部７０１の規制を受けるので、スライダ部５５０は、第１排出スタッカ１５００に対して、スライダ案内溝部５４０を搬送方向下流側へさらに移動する。従って、排出フレーム部８００に作用する第２のばね９２２の付勢力Ｆ２は、さらに増加する。
【０１６０】
図２９に示す如く、図３０に示す状態からさらにピニオン２１９が反時計方向へ回動すると、ピニオン２１９は、第６溝部２２６に沿って上方へ移動しようとする。即ち、ピニオン２１９は、ラック２２７を介して、第１排出スタッカ１５００を下方へ移動させようとする。  
このとき、スライダ部５５０は、スライダ案内溝部５４０の下流端に最も接近する。即ち、第２のばね９２２の伸びが最長となる。従って、排出フレーム部８００に作用する第２のばね９２２の付勢力Ｆ２が最大値となる。その結果、第２の位置から第１の位置へ移動する際、排出フレーム部８００がとるべき位置へ確実に移動させることができる。
【０１６１】
図２８に示す如く、図２９に示す状態からさらにピニオン２１９が反時計方向へ回動すると、第１排出スタッカ１５００は、第１突部５０１を支点に、搬送方向下流端が下降して上流端と下流端との高低差がさらに小さくなるように、時計方向へ回動する。  
このとき、スライダ部５５０は、スライダ案内溝部５４０の搬送方向上流側へ徐々に移動する。従って、排出フレーム部８００に作用する第２のばね９２２の付勢力Ｆ２が、徐々に減少する。  
また、第１センサ当接部５４３が、ポジション検出器２３０の突起２３１の上側と当接し、突起２３１を下方へ回動させる。従って、ポジション検出器２３０はＯＮ状態となる。
【０１６２】
図２７に示す如く、図２８に示す状態からさらにピニオン２１９が反時計方向へ回動すると、第１排出スタッカ１５００は、第１突部５０１を支点に、搬送方向下流端が下降して上流端と下流端との高低差がさらに小さくなるように、時計方向へ回動する。このとき、第１排出スタッカ１５００が基体部２２０の一部とど当たることにより、第１モータ９０１の駆動を停止してピニオン２１９の回動を停止する。従って、第１排出スタッカ１５００は、第１の位置に精度良く位置決めされる。  
また、第１センサ当接部５４３が、ポジション検出器２３０の突起２３１をさらに下方へ回動させ、確実にポジション検出器２３０をＯＮ状態にする。
【０１６３】
以上より、排出スタッカ昇降装置１２００は、役割毎に分けて第１付勢手段としての第１のばね９２１と、第２付勢手段としての第２のばね９２２とを備えている。従って、目的に応じて所望のタイミングで所望の付勢力Ｆ１、Ｆ２を得ることができる。その結果、前述した実施形態と比較して第１モータ９０１の負荷を低減することができる。  
また、他の実施形態では、第１排出スタッカ１５００は、スライダ部５５０を備えているので、第１のばね９２１と、第２のばね９２２とが、同時に作用しないように構成することができる。その結果、第１モータ９０１の負荷を一層低減することができる。
【０１６４】
他の実施形態の排出スタッカ昇降装置１２００において、排出フレーム部８００を、第１排出用従動ローラ２０ｂと排出用駆動ローラ２０ａとが協働する位置側へ付勢する付勢手段８０５は、第１付勢手段としての第１のばね９２１と、第２付勢手段としての第２のばね９２２とを備え、第１のばね９２１は、第１排出スタッカ１５００の姿勢を安定させ、かつ、排出フレーム部８００を、第１排出用従動ローラ２０ｂと排出用駆動ローラ２０ａとが協働する位置側へ付勢可能に設けられ、第２のばね９２２は、第１排出用従動ローラ２０ｂと排出用駆動ローラ２０ａとが協働する位置側へ付勢可能に設けられていることを特徴とする。  
また、他の実施形態において、第１のばね９２１および第２のばね９２２は、同時に作用しないように構成されていることを特徴とする。
【０１６５】
またさらに、他の実施形態の第１排出スタッカ１５００は、第２のばね９２２と、第２のばね９２２の付勢力Ｆ２に抗して摺動可能なスライダ部５５０と、を備え、第１のばね９２１は、基体部を基準に排出フレーム部８００を付勢し、第２のばね９２２は、第１排出スタッカ１５００のスライダ部５５０を介して排出フレーム部８００を付勢するように構成されていることを特徴とする。
【０１６６】
また、他の実施形態の排出スタッカ昇降装置１２００は、第１排出スタッカ１５００が前記第１の位置と前記第２の位置との間を移動するときの移動経路において、第１排出スタッカ１５００が前記第１の位置側の区間（図２７から図３１の区間）に位置するとき、第２のばね９２２が、排出フレーム部８００に対して作用し、第１排出スタッカ１５００が前記第２の位置側の区間（図３３から図３７の区間）に位置するとき、第１のばね９２１が、排出フレーム部８００に対して作用し、第２のばね９２２は、第１排出スタッカ１５００が前記第１の位置側の区間（図２７から図３１の区間）であって、前記第１の位置以外のとき、付勢力Ｆ２が最大となり、前記第１の位置へ移動するに従って付勢力Ｆ２が減少するように構成されていることを特徴とする。
【図面の簡単な説明】
【０１６７】
【図１】インクジェットプリンタの外観を示す斜視図。
【図２】ケーシングを取り外してインクジェットプリンタの内部構造を示す斜視図。
【図３】インクジェットプリンタの内部構造の概略を示す側断面図。
【図４】本発明に係る排出スタッカ昇降装置の用紙記録モードを示す斜視図（第１の位置）。
【図５】本発明に係る排出スタッカ昇降装置のＣＤ−Ｒ記録モードを示す斜視図（第２の位置）。
【図６】ＣＤ−Ｒ記録モードにおいてＣＤ−Ｒトレイをセットした状態を示す斜視図（第２の位置）。
【図７】本発明に係る排出スタッカ昇降装置への動力伝達を示す概略側面図（切断）。
【図８】本発明に係る排出スタッカ昇降装置への動力伝達を示す概略側面図（逆転）。
【図９】本発明に係る排出スタッカ昇降装置への動力伝達を示す概略側面図（正転）。
【図１０】本発明に係る排出スタッカ昇降装置の第１排出スタッカの移動を示す側面図（第１の位置）。
【図１１】本発明に係る第１排出スタッカの移動を示す側面図（下流端上昇）。
【図１２】本発明に係る第１排出スタッカの移動を示す側面図（下流端上昇）。
【図１３】本発明に係る第１排出スタッカの移動を示す側面図（下流側へ移動）。
【図１４】本発明に係る第１排出スタッカの移動を示す側面図（下流側へ移動）。
【図１５】本発明に係る第１排出スタッカの移動を示す側面図（下流側へ移動）。
【図１６】本発明に係る第１排出スタッカの移動を示す側面図（下流側へ移動）。
【図１７】本発明に係る第１排出スタッカの移動を示す側面図（上流端上昇）。
【図１８】本発明に係る第１排出スタッカの移動を示す側面図（上流端上昇）。
【図１９】本発明に係る第１排出スタッカの移動を示す側面図（上流端上昇）。
【図２０】本発明に係る第１排出スタッカの移動を示す側面図（上流端上昇）。
【図２１】本発明に係る第１排出スタッカの移動を示す側面図（上流側へ移動）。
【図２２】本発明に係る第１排出スタッカの移動を示す側面図（第２の位置）。
【図２３】本発明に係る第２排出スタッカの開閉を示す側面図（閉状態）。
【図２４】本発明に係る第２排出スタッカの開閉を示す側面図。
【図２５】本発明に係る第２排出スタッカの開閉を示す側面図（開状態）。
【図２６】本発明に係る第１排出スタッカの第２の位置を示す側面図。
【図２７】他の実施形態に係る第１排出スタッカの移動を示す側面図（第１の位置）。
【図２８】他の実施形態に係る第１排出スタッカの移動を示す側面図（下流端上昇）。
【図２９】他の実施形態に係る第１排出スタッカの移動を示す側面図（下流端上昇）。
【図３０】他の実施形態に係る第１排出スタッカの移動を示す側面図（下流側へ移動）。
【図３１】他の実施形態に係る第１排出スタッカの移動を示す側面図（下流側へ移動）。
【図３２】他の実施形態に係る第１排出スタッカの移動を示す側面図（下流側へ移動）。
【図３３】他の実施形態に係る第１排出スタッカの移動を示す側面図（下流側へ移動）。
【図３４】他の実施形態に係る第１排出スタッカの移動を示す側面図（下流側へ移動）。
【図３５】他の実施形態に係る第１排出スタッカの移動を示す側面図（下流側へ移動）。
【図３６】他の実施形態に係る第１排出スタッカの移動を示す側面図（上流側へ移動）。
【図３７】他の実施形態に係る第１排出スタッカの移動を示す側面図（第２の位置）。
【符号の説明】
【０１６８】
２  自動給送装置、３  プリンタ本体（記録装置本体）、４  スキャナ装置、
５  給送用トレイ、６  前面パネル、７  液晶モニタ画面、８  操作ボタン、
９  メモリカード挿入部、１０  キャリッジ、１１  無端ベルト、
１２  キャリッジガイド軸、１３  記録ヘッド、１４  給送用ローラ、
１５  エッジガイド、１６  ホッパ、１７  回転軸（給送用ローラの）、
１８  ローラホルダ（搬送用従動ローラ用の）、１９  搬送用ローラ、
１９ａ  搬送用駆動ローラ、１９ｂ  搬送用従動ローラ、２０  排出用ローラ、
２０ａ  排出用駆動ローラ、２０ｂ  第１排出用従動ローラ、
２２  排出用補助従動ローラ、２６  記録ポジション、２８  プラテン、
３０  給送用カセット、５０  排出用スタッカ、５１  載置面、
１００  インクジェットプリンタ（記録装置）、１１０  記録部、１２０  排出部、
２００  排出スタッカ昇降装置、２１０  動力伝達手段、２１１  第１ギア、
２１２  第２ギア、２１３  第３ギア、２１４  第４ギア、２１５  第５ギア、
２１６  第６ギア、２１７  第７ギア、２１８  第８ギア、２１９  ピニオン、
２２０  基体部、２２１  第１溝部、２２２  第２溝部、２２３  第３溝部、
２２４  第４溝部、２２５  第５溝部、２２６  第６溝部、２２７  ラック、
２２８  姿勢規制部、２３０  ホームポジション検出器、
２３１  （ポジション検出器の）突起、２３２  基体側ばね係合部、
２５０  カバー規制部、２６０  載置開口部、２７０  動力伝達シャフト、
３００  記録部ギャップ調整装置、３０１  ＰＧ調整カム部、３０１ａ  弧部、
３０１ｂ  弦部、３０２  カム軸、３０３  レバー当接部、３０４  レバー部材、
３０５  レバー軸、４００  動力伝達切り替え装置、４１０  ロックレバー、
４２０  遊星ギアホルダ部、４２３  第１遊星ギア、４２４  第２遊星ギア、
４２５  回動支点軸（太陽ギアの）、４２６  太陽ギア、４３０  スライドバー、
４３１  バーガイド、５００  第１排出スタッカ、５０１  第１突部、５０２  揺動軸、
５０３  第２排出用従動ローラ、５０４  第２突部、５１０  第１載置部、
５２０  当接面、５２１  当接突部、５２２  ＣＤ−Ｒトレイ案内開口部、
５２３  ＣＤ−Ｒトレイ案内面、５４０  スライダ案内溝部、
５４０ａ  スライダ案内溝部の上流端、５４１  排出スタッカ側ばね係合部、
５４３  第１センサ当接部、５４４  第２センサ当接部、５５０  スライダ部、
５５１  スライダ側ばね係合部、５６０  位置規制手段、５６１  位置規制レバー、
５６２  位置規制基部、６００  第２排出スタッカ、６０１  カバー軸、
６１０  第２載置部、７００  連結アーム部、７０１  第３突部、
８００  排出フレーム部、８０１  第４突部、８０２  第５突部、
８０３  排出フレーム側ばね係合部、８０５  付勢手段、９００  制御部、
９０１  第１モータ、９２１  第１のばね、９２２  第２のばね、
１２００  （他の実施形態の）排出スタッカ昇降装置、
１５００  （他の実施形態の）第１排出スタッカ、Ｃ  インクカートリッジ、
Ｆ  付勢力、Ｆ１  （第１のばねの）付勢力、Ｆ２  （第２のばねの）付勢力、
Ｐ  用紙（被記録材）、Ｑ  ＣＤ−Ｒトレイ、Ｘ  主走査方向、Ｙ  副走査方向、
ＰＧ  ギャップ
【図１】
2007301971.tif 000003
【図２】
2007301971.tif 000004
【図３】
2007301971.tif 000005
【図４】
2007301971.tif 000006
【図５】
2007301971.tif 000007
【図６】
2007301971.tif 000008
【図７】
2007301971.tif 000009
【図８】
2007301971.tif 000010
【図９】
2007301971.tif 000011
【図１０】
2007301971.tif 000012
【図１１】
2007301971.tif 000013
【図１２】
2007301971.tif 000014
【図１３】
2007301971.tif 000015
【図１４】
2007301971.tif 000016
【図１５】
2007301971.tif 000017
【図１６】
2007301971.tif 000018
【図１７】
2007301971.tif 000019
【図１８】
2007301971.tif 000020
【図１９】
2007301971.tif 000021
【図２０】
2007301971.tif 000022
【図２１】
2007301971.tif 000023
【図２２】
2007301971.tif 000024
【図２３】
2007301971.tif 000025
【図２４】
2007301971.tif 000026
【図２５】
2007301971.tif 000027
【図２６】
2007301971.tif 000028
【図２７】
2007301971.tif 000029
【図２８】
2007301971.tif 000030
【図２９】
2007301971.tif 000031
【図３０】
2007301971.tif 000032
【図３１】
2007301971.tif 000033
【図３２】
2007301971.tif 000034
【図３３】
2007301971.tif 000035
【図３４】
2007301971.tif 000036
【図３５】
2007301971.tif 000037
【図３６】
2007301971.tif 000038
【図３７】
2007301971.tif 000039